(57)【要約】シリンジ通信論理（３１６）を有するパワーインジェクタ（３０２）について開示する。パワーインジェクタ（３０２）のためのシリンジ（３２０）との通信は、傾斜センサ（３０６）、シリンジクランプセンサ（３０８）、事前充填シリンジセンサ（３１０）、または撮像エネルギー出力センサ（３１２）のうちの１つ以上によって提供されるデータを介して開始され得る。パワーインジェクタは、動力駆動源を備えているシリンジプランジャ駆動体と、配向センサと、シリンジ通信論理とを備え、シリンジ通信論理は、配向センサと動作可能に相互連結され、シリンジ通信論理が配向センサの出力を利用して第１の条件の発生を識別することに応答して、シリンジ通信を開始するように構成されている。
2012500095.tif 000002
【特許請求の範囲】
【請求項１】
パワーインジェクタであって、
動力駆動源を備えているシリンジプランジャ駆動体と、
配向センサと、
シリンジ通信論理と
を備え、前記シリンジ通信論理は、前記配向センサと動作可能に相互連結され、前記シリンジ通信論理が前記配向センサの出力を利用して第１の条件の発生を識別することに応答して、シリンジ通信を開始するように構成されている、パワーインジェクタ。
【請求項２】
前記配向センサは、加速度計を備えている、請求項１に記載のパワーインジェクタ。
【請求項３】
前記配向センサの前記出力は、前記パワーインジェクタの配向における変化を示す、請求項１〜請求項２のいずれか１項に記載のパワーインジェクタ。
【請求項４】
前記配向センサの前記出力は、前記パワーインジェクタのパワーヘッドと、前記シリンジプランジャ駆動体に相互連結されるシリンジとのうちの少なくとも１つの配向における変化を示す、請求項１〜請求項３のいずれか１項に記載のパワーインジェクタ。
【請求項５】
前記シリンジプランジャ駆動体と前記配向センサとを備えているパワーヘッドをさらに備えている、請求項１〜請求項４のいずれか１項に記載のパワーインジェクタ。
【請求項６】
前記第１の条件は、前記パワーインジェクタが配向における所定の変化を受けた場合である、請求項１〜請求項５のいずれか１項に記載のパワーインジェクタ。
【請求項７】
前記第１の条件は、前記パワーインジェクタのパワーヘッドと、前記パワーヘッド上に設置されているシリンジとのうちの少なくとも１つが上方傾斜位置に向かって移動している場合である、請求項１〜請求項６のいずれか１項に記載のパワーインジェクタ。
【請求項８】
パワーインジェクタであって、
動力駆動源を備えているシリンジプランジャ駆動体と、
撮像エネルギー出力センサであって、前記パワーインジェクタが位置する環境から撮像設備の動作に関するデータを取得するように構成されている撮像エネルギー出力センサと、
シリンジ通信論理であって、前記シリンジ通信論理は、前記撮像エネルギー出力センサと動作可能に相互連結され、前記シリンジ通信論理が前記撮像エネルギー出力センサからの出力を利用して第１の条件の発生を識別することに応答して、シリンジ通信を開始するように構成されている、シリンジ通信論理と
を備えている、パワーインジェクタ。
【請求項９】
撮像システムであって、
請求項８に記載のパワーインジェクタと、
撮像エネルギー源を備えている撮像設備と
を備え、前記第１の条件は、前記撮像エネルギー源が非作動状態にある場合である、撮像システム。
【請求項１０】
撮像システムであって、
請求項８に記載のパワーインジェクタと、
撮像エネルギー源を備えている撮像設備と
を備え、前記第１の条件は、前記撮像エネルギー源が、所定の時間量の間、非作動状態にある場合である、撮像システム。
【請求項１１】
撮像システムであって、
請求項８に記載のパワーインジェクタと、
撮像エネルギー源を備えている撮像設備と
を備え、前記シリンジ通信論理は、前記撮像エネルギー源が作動状態と非作動状態との間でサイクル動作するパターンを識別するように構成され、前記第１の条件は、前記撮像エネルギー源が前記パターンに基づいて非作動状態にあるはずであることを前記シリンジ通信論理が判定する場合である、撮像システム。
【請求項１２】
前記撮像エネルギー出力センサは、ＲＦＩＤ読み出し／書き込み機器を備えている、請求項８〜請求項１０のいずれか１項に記載のパワーインジェクタ。
【請求項１３】
前記シリンジ通信論理と動作可能に相互連結されているＲＦＩＤ読み出し／書き込み機器をさらに備えている、請求項１〜請求項１１のいずれか１項に記載のパワーインジェクタ。
【請求項１４】
前記ＲＦＩＤ読み出し／書き込み機器は、ＲＦＳＤアンテナを備えている、請求項１３に記載のパワーインジェクタ。
【請求項１５】
前記パワーインジェクタは、パワーヘッドを備え、前記パワーヘッドは、前記ＲＦＩＤ読み出し／書き込み機器を備えている、請求項１３〜請求項１４のいずれか１項に記載のパワーインジェクタ。
【請求項１６】
シリンジデータタグを備えているシリンジをさらに備え、前記シリンジ通信は、前記シリンジデータタグとのものである、請求項１〜請求項１５のいずれか１項に記載のパワーインジェクタ。
【請求項１７】
前記シリンジ通信論理と動作可能に相互連結されている事前充填シリンジセンサをさらに備え、前記シリンジ通信論理は、前記シリンジ通信論理が、前記事前充填シリンジセンサの出力を利用して、前記第１の条件の発生を識別すること、および第２の条件の発生を識別することの両方に応答してのみ、前記シリンジ通信を開始するようにさらに構成されている、請求項１〜請求項１６のいずれか１項に記載のパワーインジェクタ。
【請求項１８】
前記第２の条件は、前記パワーインジェクタ上への設置時に事前充填シリンジによって占められる事前充填シリンジゾーンを通過した信号の少なくともある量の減衰が存在している場合である、請求項１７に記載のパワーインジェクタ。
【請求項１９】
前記事前充填シリンジセンサは、
送信機と、
前記シリンジ通信論理と動作可能に相互連結されている受信機と
を備えている、請求項１７〜請求項１８のいずれか１項に記載のパワーインジェクタ。
【請求項２０】
前記受信機は、前記信号を、前記事前充填シリンジゾーンを通過した後に前記送信機から受信するように位置付けられている、請求項１９に記載のパワーインジェクタ。
【請求項２１】
複数の前記受信機をさらに備えている、請求項１９〜請求項２０のいずれか１項に記載のパワーインジェクタ。
【請求項２２】
前記送信機および前記受信機のうちの少なくとも１つは、ＲＦＩＤアンテナを備えている、請求項１９〜請求項２１のいずれか１項に記載のパワーインジェクタ。
【請求項２３】
前記送信機および前記受信機の各々は、ＲＦＩＤアンテナを備えている、請求項１９〜請求項２２のいずれか１項に記載のパワーインジェクタ。
【請求項２４】
シリンジクランプをさらに備え、前記シリンジ通信論理は、第３の条件の発生を識別するようにさらに構成され、前記第３の条件は、前記シリンジクランプが所定の構成にある場合である、請求項１〜請求項２３のいずれか１項に記載のパワーインジェクタ。
【請求項２５】
前記シリンジ通信論理と動作可能に相互連結されているシリンジクランプセンサであって、前記シリンジクランプセンサは、前記第３の条件の目的のための信号を提供し、磁石／ホール効果センサの組み合わせ、光センサ、電気機械スイッチ、近接センサ、および電位差計から成る群から選択される、シリンジクランプセンサをさらに備えている、請求項２４に記載のパワーインジェクタ。
【請求項２６】
開放構成および閉鎖構成の各々に配置可能であるシリンジクランプと、
前記シリンジ通信論理と動作可能に相互連結されているシリンジクランプセンサと
を備え、前記シリンジ通信論理は、前記シリンジ通信論理が、前記シリンジクランプセンサの出力を利用して、前記第１の条件の発生を識別すること、および第３の条件の発生を識別することの両方に応答してのみ、前記シリンジ通信を開始するように構成されている、請求項１〜請求項１６のいずれか１項に記載のパワーインジェクタ。
【請求項２７】
パワーインジェクタであって、
動力駆動源を備えているシリンジプランジャ駆動体と、
送信機と、
受信機と、
事前充填シリンジ検出論理であって、第１の条件の発生について前記送信機により発行され、かつ前記受信機により受信される、信号を査定するように構成されている事前充填シリンジ検出論理と
を備え、前記第１の条件は、前記送信機と前記受信機との間に前記信号の少なくともある量の減衰が存在している場合であり、事前充填シリンジが前記パワーインジェクタ上に設置されていることと同等である、パワーインジェクタ。
【請求項２８】
前記送信機は、ＲＦアンテナを備えている、請求項２７に記載のパワーインジェクタ。
【請求項２９】
前記受信機は、前記信号を、前記パワーインジェクタ上への設置時に事前充填シリンジによって占められる事前充填シリンジゾーンを通過した後に、前記受信機から受信するように位置付けられている、請求項２７〜請求項２８のいずれか１項に記載のパワーインジェクタ。
【請求項３０】
前記受信機は、ＲＦアンテナを備えている、請求項２７〜請求項２９のいずれか１項に記載のパワーインジェクタ。
【請求項３１】
複数の前記受信機をさらに備えている、請求項２７〜請求項３０のいずれか１項に記載のパワーインジェクタ。
【請求項３２】
シリンジ通信論理であって、前記事前充填シリンジ検出論理が前記第１の条件の発生を識別することに応答して、シリンジ通信を開始するように構成されているシリンジ通信論理をさらに備えている、請求項２７〜請求項３１のいずれか１項に記載のパワーインジェクタ。
【請求項３３】
前記シリンジ通信論理は、前記事前充填シリンジ検出論理を備えている、請求項３２に記載のパワーインジェクタ。
【請求項３４】
開放構成および閉鎖構成の各々に配置可能であるシリンジクランプと、
シリンジクランプセンサと、
前記シリンジクランプセンサと動作可能に相互連結されているシリンジクランプ検出論理であって、第２の条件の存在を識別するように構成されているシリンジクランプ検出論理と
をさらに備え、前記第２の条件は、前記シリンジクランプが所定の構成にある場合である、請求項２７〜請求項３１のいずれか１項に記載のパワーインジェクタ。
【請求項３５】
シリンジ通信論理をさらに備え、前記シリンジ通信論理は、前記事前充填シリンジ検出論理が前記第１の条件の発生を識別することと、前記シリンジクランプ検出論理が前記第２の条件の発生を識別することの両方に応答してのみ、シリンジ通信を開始するように構成されている、請求項３４に記載のパワーインジェクタ。
【請求項３６】
シリンジ通信論理をさらに備え、前記シリンジ通信論理は、前記事前充填シリンジ検出論理が前記第１の条件の発生を識別する時、または前記シリンジクランプ検出論理が前記第２の条件の発生を識別する時のいずれかに、シリンジ通信を開始するように構成されている、請求項３４に記載のパワーインジェクタ。
【請求項３７】
前記シリンジ通信論理は、前記事前充填シリンジ検出論理および前記シリンジクランプ検出論理を備えている、請求項３５〜請求項３６のいずれか１項に記載のパワーインジェクタ。
【請求項３８】
前記パワーインジェクタ上に設置されているシリンジであって、シリンジデータタグを備えているシリンジをさらに備えている、請求項２７〜請求項３７のいずれか１項に記載のパワーインジェクタ。
【請求項３９】
前記パワーインジェクタ上に設置されているシリンジであって、シリンジデータタグを備えているシリンジをさらに備え、前記シリンジ通信は、前記シリンジデータタグとのものである、請求項３２、請求項３３、および請求項３５〜請求項３７のいずれか１項に記載のパワーインジェクタ。
【請求項４０】
パワーインジェクタの動作の方法であって、
第１の条件の発生を監視するステップであって、前記第１の条件は、前記パワーインジェクタが配向における所定の変化を受ける場合である、ステップと、
前記監視するステップが前記第１の条件の発生を識別する、ステップに応答して、前記パワーインジェクタと前記パワーインジェクタ上に設置されているシリンジとの間のシリンジ通信を開始するステップと
を包含する、方法。
【請求項４１】
前記監視するステップは、加速度計を使用するステップを包含する、請求項４０に記載の方法。
【請求項４２】
前記監視するステップは、配向センサを使用するステップを包含する、請求項４０に記載の方法。
【請求項４３】
前記監視するステップは、前記パワーインジェクタの加速度を監視するステップを包含する、請求項４０〜請求項４２のいずれか１項に記載の方法。
【請求項４４】
前記シリンジの放出ノズルが少なくとも概して上方に突出する第１の配向に前記パワーインジェクタを移動させるステップであって、前記パワーインジェクタを第１の配向に移動させる前記ステップは、前記第１の条件の発生を提供する、ステップと、
前記第１の配向において、前記パワーインジェクタで第１の動作および第２の動作のうちの少なくとも１つを実行するステップであって、前記第１の動作は、前記シリンジから空気を一掃するステップを包含し、前記第２の動作は、流体を前記シリンジ内に装填するステップを包含する、ステップと
をさらに包含する、請求項４０〜請求項４３のいずれか１項に記載の方法。
【請求項４５】
前記実行するステップの後に前記パワーインジェクタを第２の配向に移動させるステップであって、この時点で前記シリンジの前記放出ノズルは、少なくとも概して下方に突出する、ステップと、
前記第２の配向において、前記パワーインジェクタで流体を前記シリンジから放出するステップと
をさらに包含する、請求項４４に記載の方法。
【請求項４６】
前記パワーヘッドを第２の配向に移動させる前記ステップは、前記第１の条件の発生を提供し、各前記開始するステップは、前記放出するステップの前に実行される、請求項４５に記載の方法。
【請求項４７】
医療システムの動作の方法であって、前記医療システムは、撮像設備と、パワーインジェクタと、前記パワーインジェクタ上に設置されているシリンジとを備え、前記方法は、
第１の条件について前記撮像設備のエネルギー出力を監視するステップであって、前記エネルギー出力は、医療画像を取得するために使用される、ステップと、
前記監視するステップが前記第１の条件の発生を識別することに応答して、前記シリンジのシリンジデータタグとのシリンジ通信を開始するステップと、
前記シリンジから流体を放出するために前記パワーインジェクタを動作させるステップと
を包含する、方法。
【請求項４８】
前記エネルギー出力は、ＲＦ信号を備える、請求項４７に記載の方法。
【請求項４９】
前記監視するステップのための前記エネルギー出力は、前記パワーインジェクタが位置する環境から得られる、請求項４７〜請求項４８のいずれか１項に記載の方法。
【請求項５０】
前記パワーインジェクタは、前記監視するステップを実行する、請求項４７〜請求項４９のいずれか１項に記載の方法。
【請求項５１】
前記第１の条件は、前記撮像設備からの前記エネルギー出力が少なくとも実質的にゼロである場合である、請求項４７〜請求項５０のいずれか１項に記載の方法。
【請求項５２】
前記第１の条件は、前記撮像設備が画像取得モード以外のモードにある場合である、請求項４７〜請求項５１のいずれか１項に記載の方法。
【請求項５３】
前記撮像設備は、撮像エネルギー源を備え、前記第１の条件は、前記撮像エネルギー源が非作動状態にある場合である、請求項４７〜請求項５２のいずれか１項に記載の方法。
【請求項５４】
前記撮像設備は、撮像エネルギー源を備え、前記第１の条件は、前記撮像エネルギー源が、少なくとも第１の所定の時間量の間、非作動状態にある場合である、請求項４７〜請求項５３のいずれか１項に記載の方法。
【請求項５５】
前記監視するステップは、前記撮像設備の撮像エネルギー源が作動状態と非作動状態との間でサイクル動作するパターンを識別するステップを包含する、請求項４７〜請求項５０のいずれか１項に記載の方法。
【請求項５６】
前記開始するステップは、前記パターンが前記監視するステップによって識別された後と、前記撮像エネルギー源が前記パターンに従って非作動状態にあるべき時とにのみ実行される、請求項５５に記載の方法。
【請求項５７】
患者を前記エネルギー出力に晒すステップと、
前記晒すステップから前記患者の画像を取得するステップと
をさらに包含する、請求項４７〜請求項５６のいずれか１項に記載の方法。
【請求項５８】
前記監視するステップは、ＲＦアンテナを使用するステップであって、前記シリンジ通信にも使用されるステップを包含する、請求項４７〜請求項５７のいずれか１項に記載の方法。
【請求項５９】
前記監視するステップおよび前記開始するステップは、共通のＲＦアンテナを使用する、請求項４７〜請求項５７のいずれか１項に記載の方法。
【請求項６０】
前記監視するステップは、前記シリンジデータタグと通信するためにも使用されるアンテナを使用する、請求項４７〜請求項５９のいずれか１項に記載の方法。
【請求項６１】
信号を第１の位置から送信するステップと、
前記信号を第２の位置で受信するステップと、
第２の条件の発生について前記受信するステップを監視するステップと
をさらに包含し、前記第２の条件は、事前充填シリンジが前記パワーインジェクタ上に設置されていることと同等である、請求項４０〜請求項６０のいずれか１項に記載の方法。
【請求項６２】
前記第２の条件は、前記送信するステップと前記受信するステップとの間での前記信号の最小限の減衰の存在である、請求項６１に記載の方法。
【請求項６３】
前記送信するステップからの前記信号は、ＲＦ信号を備える、請求項６１〜請求項６２のいずれか１項に記載の方法。
【請求項６４】
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、請求項６１〜請求項６３のいずれか１項に記載の方法。
【請求項６５】
前記信号は、前記送信するステップの後、かつ、前記受信するステップの前に、前記事前充填シリンジゾーンを通って進行する、請求項６４に記載の方法。
【請求項６６】
前記第２の条件は、前記送信するステップの後、かつ、前記受信するステップの時点で、前記信号の少なくともある量の減衰を含む、請求項６１〜請求項６５のいずれか１項に記載の方法。
【請求項６７】
前記開始するステップは、前記第１の条件および前記第２の条件の各々の識別の後で、それら条件の各々の識別に応答してのみ実行される、請求項６１〜請求項６６のいずれか１項に記載の方法。
【請求項６８】
前記パワーインジェクタは、シリンジクランプをさらに備え、前記方法は、
第３の条件の発生について前記シリンジクランプを監視するステップをさらに包含し、前記第３の条件は、前記シリンジクランプが所定の構成にある場合である、請求項４０〜請求項６０のいずれか１項に記載の方法。
【請求項６９】
前記開始するステップは、前記第１の条件および前記第３の条件の各々の識別に応答してのみ実行されるのみである、請求項６８に記載の方法。
【請求項７０】
パワーインジェクタの動作の方法であって、
信号を第１の位置から送信するステップと、
前記信号を第２の位置で受信するステップと、
第１の条件の発生について前記受信するステップを監視するステップと
を包含し、前記第１の条件は、前記送信するステップと前記受信するステップとの間での前記信号の少なくともある減衰の存在である、方法。
【請求項７１】
前記送信するステップからの前記信号は、ＲＦ信号を備える、請求項７０に記載の方法。
【請求項７２】
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、請求項７０〜請求項７１のいずれか１項に記載の方法。
【請求項７３】
前記信号は、前記送信するステップの後、かつ、前記受信するステップの前に、前記シリンジゾーンを通って進行する、請求項７２に記載の方法。
【請求項７４】
前記監視するステップによる前記第１の条件の発生の識別に応答して、前記パワーインジェクタ上に設置されているシリンジのシリンジデータタグとのシリンジ通信を開始するステップをさらに包含する、請求項７０〜請求項７３のいずれか１項に記載の方法。
【請求項７５】
第２の条件についてシリンジクランプを監視するステップであって、前記第２の条件は、前記シリンジクランプが所定の構成である場合である、ステップと、
前記パワーインジェクタ上に設置されているシリンジのシリンジデータタグとのシリンジ通信を開始するステップと、
をさらに包含する、請求項７０〜請求項７４のいずれか１項に記載の方法。
【請求項７６】
前記開始するステップは、前記第１の条件および前記第２の条件の各々の識別の後で、それら条件の各々の識別に応答してのみ実行される、請求項７５に記載の方法。
【請求項７７】
前記開始するステップは、前記第１の条件および前記第２の条件のうちの少なくとも１つの識別に応答して実行される、請求項７５に記載の方法。
【発明の詳細な説明】
【技術分野】
【０００１】
（関連する出願）
本出願は、２００８年８月１９日出願の「ＰＯＷＥＲ  ＩＮＪＥＣＴＯＲ  ＷＩＴＨ  ＳＹＲＩＮＧＥ  ＣＯＭＭＵＮＩＣＡＴＩＯＮ  ＬＯＧＩＣ」と題された米国仮特許出願第６１／０９０，０２０号に対する優先権を主張する。
【０００２】
（発明の分野）
本発明は、概して、パワーインジェクタの分野に関し、より具体的には、パワーインジェクタと少なくとも１つのパワーインジェクタシリンジとの間の通信を制御することに関する。
【背景技術】
【０００３】
（背景）
種々の医療処置では、１つ以上の医療用流体を患者に注入することが必要とされる。医療撮像処置は、しばしば、恐らく食塩水または他の流体とともに、造影剤を患者に注入することを伴う。他の医療処置は、治療目的で１つ以上の流体を患者に注入することを伴う。パワーインジェクタをこれらの種類の用途に使用してもよい。
【０００４】
パワーインジェクタは、概して、一般的にパワーヘッドと呼ばれるものを含む。１つ以上のシリンジが、種々の方式で（例えば、着脱式、後方装填式、前方装填式、側面装填式）パワーヘッドに装着され得る。各シリンジは、典型的には、シリンジプランジャ、ピストン、またはその同等物として特徴付けられ得るものを含む。このようなシリンジプランジャの各々は、パワーヘッドに組み込まれる適切なシリンジプランジャ駆動体と相互作用する（例えば、接触および／または一時的に相互連結する）ように設計され、これによって、シリンジプランジャ駆動体の動作は、関連するシリンジプランジャをシリンジのバレルの内部において、およびシリンジのバレルに対して軸方向に前進させる。１つの典型的なシリンジプランジャ駆動体は、ネジ式リードまたは打込みネジ上に装着されるラムの形式である。一方の回転方向への打込みネジの回転が、関連するラムを一方の軸方向に前進させる一方で、反対の回転方向への打込みネジの回転は、関連するラムを反対の軸方向に前進させる。
【０００５】
ＲＦＩＤタグは、種々の用途においてますます一般的になっている。ＲＦＩＤタグは、パワーインジェクタ関連を含む医療用途に関連して扱われている。例えば、ＲＦＩＤタグをパワーインジェクタシリンジ上に配置し、少なくとも一定の情報をこのようなＲＦＩＤタグ上に符号化することが少なくとも提案されている。パワーインジェクタ上の、またはパワーインジェクタに関連付けられるＲＦＩＤリーダアンテナは、このシリンジ装着型ＲＦＩＤタグから情報を読み取るために使用され得る。
【発明の概要】
【課題を解決するための手段】
【０００６】
本発明の第１の側面は、動力駆動源を含むシリンジプランジャ駆動体、配向センサ、およびシリンジ通信モジュールまたは論理を含む、パワーインジェクタによって具体化される。シリンジ通信論理は、配向センサと動作可能に相互連結され、シリンジ通信論理が配向センサの出力を利用して第１の条件の発生を識別することに応答して、シリンジ通信を開始するように構成される。
【０００７】
いくつかの特徴の改良および追加的特徴が、本発明の第１の側面に対して適用可能である。これらの特徴の改良および追加的特徴は、個別に、または任意の組み合わせで使用されてもよい。以下の論議は、本発明の第２の側面の論議の開始まで、第１の側面に適用可能である。
【０００８】
パワーインジェクタに関する配向情報を提供可能である任意の適切なセンサを利用してもよく、配向センサは、個々におよび相互に組み合わせることを含めて、任意の適切な位置（例えば、パワーインジェクタのパワーヘッド上）に配置されてもよい。複数の配向センサを利用してもよく、任意の適切な配列に配置してもよい。一実施形態は、加速度計の形式である配向センサを有する。別の実施形態は、傾斜センサの形式である配向センサを有する。いずれにしても、配向センサの出力は、パワーヘッド、パワーヘッド上に設置されるシリンジ、またはその両方等のパワーインジェクタの少なくとも一部の、配向における変化を識別するために、シリンジ通信論理によって使用され得る。
【０００９】
シリンジ通信論理は、シリンジ通信論理による第１の条件の識別に応答して、シリンジ通信を開始するように構成され得る。この第１の条件は、パワーインジェクタの少なくとも一部（例えば、パワーヘッド、パワーヘッド上に設置されるシリンジ、またはその両方）の、配向における所定の変化であり得る。配向における所定の変化は、配向変化の大きさ、配向変化が発生する時間、配向変化の方向、または任意のそれらの組み合わせに基づき得る。一実施形態では、第１の条件は、単独の、または加速の方向もしくはベクトルとの組み合わせにおける、閾値加速度の大きさの形式である。パワーインジェクタのパワーヘッドを少なくともある程度の加速に晒すこと、例えば、パワーヘッドを「上方傾斜」位置または「下方傾斜」位置に移動させることの各々によって、シリンジ通信をトリガする第１の条件が生成され得る。
【００１０】
少なくとも１つのシリンジは、パワーインジェクタのパワーヘッド上に設置され得る。パワーヘッドは、パワーインジェクタシリンジの放出ノズルが少なくとも概して上方に突出するような（例えば、パワーヘッドの「上方傾斜」構成、またはシリンジ放出ノズルが「水平線を越えて」配置されるような）位置に移動し得る。一実施形態では、パワーヘッドは、シリンジをこの「上方傾斜」構成に配置するように、少なくとも概して第１の軸の周りで可動である。いずれにしても、流体が、パワーヘッドがこの「上方傾斜」構成にある状態で、１つ以上のシリンジ内に装填され得るか、空気が、パワーヘッドがこの「上方傾斜」構成にある状態で、１つ以上のシリンジ、相互連結される配管、もしくはその両方から一掃され得るか、またはその両方である。これらの種類の作用の各々は、典型的には、医療撮像処置の予備段階において、および、いずれにしても、パワーインジェクタを伴うシリンジ通信を不利に妨害し得る任意の撮像設備（例えば、ＭＲスキャナ）の動作の十分前において、開始し得る。ゆえに、シリンジ通信を開始するための基礎としてパワーインジェクタの配向における所定の変化を使用することは、パワーインジェクタおよび撮像設備が医療撮像処置のために使用中になる撮像設備の動作によってこのシリンジ通信が悪影響を受ける（または悪影響を及ぼす）可能性を低下させるはずである。
【００１１】
パワーインジェクタのパワーヘッドは、パワーヘッド上に設置されるシリンジの放出ノズルが、少なくとも概して下方に突出するような（例えば、パワーヘッドの「下方傾斜」構成、またはシリンジ放出ノズルが「水平線の下に」配置されるような）位置に移動し得る。一実施形態では、パワーヘッドは、シリンジをこの「下方傾斜」構成に配置するように、少なくとも概して第１の軸の周りで可動である。いずれにしても、パワーヘッドは、医療撮像処置の一部として注入を開始することに備えてこの「下方傾斜」位置に移動し得る。パワーインジェクタを伴う少なくとも１つのシリンジ通信を可能にするために、パワーヘッドが「下方傾斜」位置に到達する場合と、医療撮像処置を実行するためのパワーインジェクタの動作により注入が開始する前（この場合、パワーインジェクタは、典型的には、画像取得モードにおいて撮像設備を動作させる前にも動作し得る）との間には十分な量の時間が存在するはずである。ゆえに、シリンジ通信を開始するための基礎としてパワーインジェクタの配向におけるこの種類の所定の変化を使用することは、パワーインジェクタおよび撮像設備が医療撮像処置のために使用中になる撮像設備の動作によってこのシリンジ通信が悪影響を受ける（または悪影響を及ぼす）可能性を低下させるはずである。
【００１２】
本発明の第２の側面は、動力駆動源を含むシリンジプランジャ駆動体、撮像エネルギー出力センサ、およびシリンジ通信モジュールまたは論理を含むパワーインジェクタによって具体化される。撮像エネルギー出力センサは、パワーインジェクタが位置する環境から撮像設備の動作に関するデータを取得するように構成される。シリンジ通信論理は、撮像エネルギー出力センサと動作可能に相互連結され、シリンジ通信論理が撮像エネルギー出力センサからの出力を利用して第１の条件の発生を識別することに応答して、シリンジ通信を開始するように構成される。
【００１３】
いくつかの特徴の改良および追加的特徴が、本発明の第２の側面に対して適用可能である。これらの特徴の改良および追加的特徴は、個別に、または任意の組み合わせで使用されてもよい。以下の論議は、第１および第２の側面の各々に適用可能である、特徴の改良および追加的特徴に関する論議の開始まで、第２の側面に適用可能である。
【００１４】
パワーインジェクタと、少なくとも１つの撮像エネルギー源（例えば、ＭＲスキャナのＲＦ伝送システム）を利用する撮像設備とを利用する撮像システムの事例について考察する。第１の条件は、撮像エネルギー源が非作動状態にある場合のものであり得る。別の選択肢は、第１の条件が、撮像エネルギー源が少なくともある量の時間の間、非作動状態にある場合のものである。シリンジ通信論理は、まず、エネルギー撮像源が作動状態と非作動状態との間でサイクル動作しているパターンを識別し、次いで、シリンジ通信をトリガする目的のために、このパターンに従ってエネルギー撮像源が作動状態にあるはずである時を予測するように、さらに構成され得る。一実施形態では、撮像エネルギー出力センサは、シリンジ通信のためのシリンジ通信論理によっても使用されるＲＦ読み出し／書き込み機器の形式である（例えば、パワーインジェクタ上に設置されるシリンジの１つ以上のシリンジデータタグと通信するため）。
【００１５】
撮像エネルギー出力センサは、任意の適切なサイズ、形状、構成、および／または種類であり得る。一実施形態では、撮像エネルギー出力センサは、ＲＦＩＤ読み出し／書き込み機器（例えば、ＲＦＩＤアンテナ）の形式である。このようなＲＦＩＤ読み出し／書き込み機器は、撮像設備の動作を監視するために使用され得るか、シリンジ通信のために使用され得るか（例えば、シリンジへ通信を送信する、および／またはシリンジから通信を受信するため）、またはその両方である。
【００１６】
いくつかの特徴の改良および追加的特徴が、本発明の上述の第１および第２の側面の各々に、別個に適用可能である。これらの特徴の改良および追加的特徴は、第１および第２の側面の各々に関して、個別に、または任意の組み合わせで使用されてもよい。以下の論議は、本発明の第３の側面の論議の開始まで、第１および第２の側面の各々に別個に適用可能である。
【００１７】
パワーインジェクタは、シリンジ通信機能を提供する（例えば、シリンジ通信論理と動作可能に相互連結することを介して）ための、任意の適切なサイズ、形状、構成、および／または種類の通信機器を含み得る。このような通信機器は、通信をシリンジに（例えば、シリンジデータタグに）送信するためか、通信をシリンジから受信するためか、またはその両方のために使用され得る。一実施形態では、この通信機器は、シリンジ通信論理と動作可能に相互連結されるＲＦＩＤ読み出し／書き込み機器の形式である。このＲＦＩＤ読み出し／書き込み機器は、ＲＦＩＤアンテナの形式等の、任意の適切なサイズ、形状、構成、および／または種類であり得る。一実施形態では、パワーインジェクタは、シリンジプランジャ駆動体および上述のＲＦＩＤ読み出し／書き込み機器を含むパワーヘッドを含む。少なくとも１つのシリンジは、任意の適切な方式でパワーインジェクタ上に設置されてもよく、少なくとも１つのシリンジは、任意の適切なサイズ、形状、構成、および／または種類の少なくとも１つのデータタグ（例えば、ＲＦＩＤタグ）を含んでもよく、ＲＦＩＤ読み出し／書き込み機器は、パワーインジェクタ上に設置される１つ以上のシリンジの少なくとも１つのシリンジデータタグと通信するように構成されてもよい。
【００１８】
パワーインジェクタは、シリンジ通信論理と動作可能に相互連結される事前充填シリンジセンサを含み得る。シリンジ通信論理は、事前充填シリンジセンサの出力を利用して、シリンジ通信論理が第１の条件の発生を識別し（第１および第２の側面のいずれかに従って）、かつ第２の条件の発生も識別する場合に応答してのみ、シリンジ通信を開始するようにさらに構成され得る（すなわち、この場合、第１および第２の両方の条件は、まず、シリンジ通信をトリガするために識別されなければならない）。この第２の条件は、パワーインジェクタ上への設置時に事前充填シリンジにより占められるゾーンを通過した信号の少なくともある量の減衰が存在した場合のものであり得る。以下において、これは、「事前充填シリンジゾーン」と呼ばれる。
【００１９】
事前充填シリンジセンサは、任意の適切なサイズ、形状、構成、および／または種類であり得る。事前充填シリンジセンサは、シリンジ通信論理と動作可能に相互連結される受信機とともに、送信機を含み得る。受信機は、送信機からの信号が受信機に到達するために事前充填シリンジゾーンを通過しなければならないように配置され得る。複数の受信機が、事前充填シリンジセンサによって利用されてもよく、さらに、任意の適切な配列で配置されてもよい。送信機および各受信機は、各々がＲＦアンテナ等の任意の適切な種類であり得る。
【００２０】
事前充填シリンジのパワーインジェクタ上への設置は、シリンジ通信のトリガとして使用され得る。１つ以上のシリンジは、典型的には、医療撮像処置の予備段階において、およびいずれにしても、パワーインジェクタを伴うシリンジ通信を不利に妨害し得る任意の撮像設備（例えば、ＭＲスキャナ）の動作の十分前に設置される。ゆえに、事前充填シリンジがパワーインジェクタ上に設置された時を識別し、シリンジ通信を開始するためのトリガとしてこれを使用することは、パワーインジェクタおよび撮像設備が医療撮像処置のために使用中になる撮像設備の動作によってこのシリンジ通信が悪影響を受ける（または悪影響を及ぼす）可能性を低下させるはずである。
【００２１】
パワーインジェクタは、シリンジクランプ、つまりシリンジを少なくともある方式でパワーヘッド上に保持、拘束、または固定するための構造を含み得る。このシリンジクランプは、任意の適切なサイズ、形状、構成、および／または種類であり得るが、典型的には、開放構成および閉鎖構成をシリンジクランプに提供するように可動である少なくとも１つのクランプ部材を含む。一実施形態では、シリンジクランプは、シリンジクランプがその閉鎖構成にある場合に、対応するシリンジのバレルの周囲の少なくともかなりの一部分の周りに配置されるが、これが、全ての事例において必要であるとは限らない。概して、シリンジクランプは、シリンジプランジャがシリンジバレル内で移動する方向に対して直交である平面内にシリンジの運動を限定または拘束し得る。シリンジクランプは、クランプ力をシリンジバレル上に及ぼし得るが（例えば、「内側」に向けられる力、つまり、少なくとも概して、１つの軸であって、それに沿ってシリンジプランジャがシリンジバレル内で移動する軸に向けられる力）、シリンジクランプは、シリンジバレルから若干離隔し得るか、シリンジバレルと接触するか、または任意のそれらの組み合わせであり得る。
【００２２】
１つ以上のシリンジクランプセンサは、上述のシリンジクランプの位置または構成を監視するように利用されてもよく、これらのシリンジクランプセンサのうちの少なくとも１つは、シリンジ通信論理と動作可能に相互連結されてもよい。このような各シリンジクランプセンサは、任意の適切なサイズ、形状、構成、および／または種類であり得る。代表的なシリンジクランプセンサは、磁石／ホール効果センサの組み合わせ、光センサ、電気機械スイッチ、近接センサ（例えば、誘導性）、および電位差計を含む。シリンジ通信論理は、シリンジクランプセンサの出力を使用して、シリンジ通信論理が第１の条件の発生を識別し（例えば、第１および第２の側面のいずれかに従って）、かつ第２の条件の発生も識別する両方の場合に応答してのみ、シリンジ通信を開始するように構成され得る（すなわち、この場合、第１および第２の両方の条件は、まず、シリンジ通信をトリガするために識別されなければならない）。
【００２３】
シリンジクランプが所定の位置または構成にあることを識別することは、シリンジ通信論理を介したシリンジ通信のためのトリガとして使用され得る。１つ以上のシリンジは、典型的には、医療撮像処置の予備段階において、およびいずれにしても、シリンジ通信を不利に妨害し得る任意の撮像設備（例えば、ＭＲスキャナ）の動作を開始する十分前において、パワーインジェクタ上に設置される。この設置は、シリンジをパワーインジェクタに固定するために、シリンジクランプを閉鎖構成に移動させることを伴い得る。多数の他の準備作業は、典型的には、シリンジ（単数または複数）がパワーインジェクタ上に設定された後に行われる。ゆえに、シリンジクランプが閉鎖構成に移動した時（または、閉鎖構成に向かって少なくとも移動したこと）を判定するために、シリンジ通信を開始するためのトリガとしてシリンジクランプセンサを使用することは、パワーインジェクタおよび撮像設備が医療撮像処置のために使用中になる撮像設備の動作によってこのシリンジ通信が悪影響を受ける（または悪影響を及ぼす）可能性を低下させるはずである。
【００２４】
本発明の第３の側面は、動力駆動源を含むシリンジプランジャ駆動体、送信機、受信機、および事前充填シリンジ検出モジュールまたは論理を含む、パワーインジェクタによって具体化される。事前充填シリンジ検出論理は、第１の条件の発生について送信機により発行され、かつその後受信機により受信される信号を査定するように構成される。第３の側面の場合における第１の条件は、送信機から受信機に通過する場合の、信号の少なくともある量の減衰である。少なくともある量の信号減衰は、事前充填シリンジがパワーインジェクタ上に設置されたことと同等であり得る。
【００２５】
いくつかの特徴の改良および追加的特徴が、本発明の第３の側面に対して適用可能である。これらの特徴の改良および追加的特徴は、個別に、または任意の組み合わせで使用されてもよい。以下の論議は、本発明の第４の側面の論議の開始まで、第３の側面に適用可能である。
【００２６】
送信機および受信機の各々は、任意の適切なサイズ、形状、構成、および／または種類であり得る。一実施形態では、送信機は、ＲＦアンテナの形式である。送信機および受信機のうちの少なくとも１つは、ＲＦアンテナの形式であってもよく、これによって、送信機および受信機の各々がＲＦアンテナの形式であることが含まれる。複数の受信機が利用されてもよく、任意の適切な配列で配置されてもよい。いずれにしても、少なくとも１つの受信機は、事前充填シリンジゾーンを通過した後に、信号を送信機から受信するように位置付けられ得る。
【００２７】
事前充填シリンジ検出論理は、送信された信号を、この信号の少なくともある量の減衰が存在したか否かを判定するために査定し得る。事前充填シリンジ検出論理は、信号減衰を査定するために、少なくとも受信機と動作可能に相互連結され得る。送信機も事前充填シリンジ検出論理と動作可能に相互連結され得るが、送信機により送信されるべき信号の１つ以上の特性は、信号減衰を査定する目的のために、メモリに格納され得るか、または事前充填シリンジ検出論理に対して利用可能にされ得る。一実施形態では、事前充填シリンジ検出論理は、送信機により送信された時の信号の強度（例えば、送信機と事前充填シリンジ検出論理との間の動作可能な相互連結を介して、送信機により送信されるべき信号の事前知識を有する事前充填シリンジ検出論理によって）を、受信機により受信された時の信号の強度と比較する。信号減衰を任意の適切な方式で査定してもよい。
【００２８】
事前充填シリンジ検出論理は、任意の機能または機能の組み合わせを提供するために使用され得る。一実施形態では、事前充填シリンジ検出論理は、事前充填シリンジがパワーインジェクタ上に設置されたかを判定するように使用される。事前充填シリンジがパワーインジェクタ上に設置されたことの事前充填シリンジ検出論理による任意の識別は、任意の適切な人員に任意の適切な方式で通信されてもよい。一実施形態では、事前充填シリンジ検出論理は、事前充填シリンジ検出論理が第１の条件の発生を識別することに応答して、シリンジ通信をトリガするように使用される。事前充填シリンジ検出論理は、これらの機能の両方をパワーインジェクタに提供し得る。
【００２９】
パワーインジェクタは、開放構成および閉鎖構成の各々に配置され得るシリンジクランプ、シリンジクランプセンサ、およびシリンジクランプ検出論理を含み得る。このシリンジクランプ検出論理は、シリンジクランプセンサと動作可能に相互連結されてもよく、第２の条件の発生を識別するように構成されてもよく、この第２の条件は、シリンジクランプが所定の位置または構成にある場合のものである。
【００３０】
また、パワーインジェクタは、シリンジ通信論理も含み得る。シリンジ通信論理は、事前充填シリンジ検出論理が第１の条件の発生を識別し、かつシリンジクランプ検出論理が第２の条件の発生を識別する両方の場合に応答してのみ、シリンジ通信を開始するように構成され得る（すなわち、この場合、第１および第２の両方の条件は、まず、シリンジ通信をトリガするために識別されなければならない）。また、シリンジ通信論理は、事前充填シリンジ検出論理が第１の条件の発生を識別するか、またはシリンジクランプ検出論理が第２の条件の発生を識別するかのいずれかに応答して、シリンジ通信を開始するようにも構成され得る（すなわち、この場合、第１および第２のうちの１つのみが、シリンジ通信をトリガするために識別される必要がある）。シリンジ通信論理は、事前充填シリンジ検出論理およびシリンジクランプ検出論理のうちの片方または両方を含み得る。
【００３１】
本発明の第４の側面は、パワーインジェクタの動作の方法によって具体化される。監視動作は、第１の条件の発生を識別する目的のために開始され、ここで、第１の条件は、パワーインジェクタが配向における所定の変化を受けていることである。第１の条件の発生の識別に応答して、シリンジデータタグとのシリンジ通信が開始される。
【００３２】
いくつかの特徴の改良および追加的特徴が、本発明の第４の側面に対して適用可能である。これらの特徴の改良および追加的特徴は、個別に、または任意の組み合わせで使用されてもよい。以下の論議は、本発明の第５の側面の論議の開始まで、第４の側面に適用可能である。
【００３３】
第１の条件の発生のために任意の適切な監視方式を利用してもよい。１つ以上のセンサを利用して、第１の条件の発生が存在したかを判定するために監視／分析され得るデータを提供してもよい（例えば、加速度計、傾斜センサ、配向センサ）。一実施形態では、シリンジ通信は、パワーインジェクタが少なくともある大きさの加速を受ける場合に開始される。一実施形態では、シリンジ通信は、パワーインジェクタが少なくともある大きさの加速を受ける場合に開始され、この加速は、ある方向にある（例えば、パワーインジェクタのパワーヘッドが「上方傾斜」または「下方傾斜」位置に向かって移動しているように）。
【００３４】
シリンジは、パワーインジェクタ上に設置され得る。その後、パワーインジェクタ（例えば、パワーヘッド）は、このシリンジの放出ノズルが少なくとも概して上方に突出するように（例えば、「水平線を越えて」配置されるように）移動し得、これは、第１の配向と呼ばれ得る。パワーインジェクタのこの第１の配向への移動によって、シリンジ通信を開始する第１の条件の発生が提供され得る。１つ以上の動作は、パワーインジェクタがこの第１の配向にある状態で行われ得る。流体が、この時点でシリンジ内に装填され得るか、空気が、この時点でシリンジもしくは相互連結される配管から一掃され得るか、またはその両方であり得る。
【００３５】
パワーインジェクタは、第２の配向に移動し得（例えば、第１の配向から）、ここで、パワーインジェクタ上に設置されるシリンジの放出ノズルは、少なくとも概して下方に突出する（例えば、「水平線の下に」配置される）。流体は、パワーインジェクタがその第２の配向に移動した後しばらくしてシリンジから放出され得る。パワーインジェクタの第２の配向への移動により、シリンジ通信を開始する第１の条件の発生であって、シリンジからの流体放出が実際に開始される前に発生し得る（例えば、パワーヘッドがその「下方傾斜」構成に位置付けられる時と、パワーインジェクタの動作を介して注入が実際に開始される時との間に十分な時間があり得る）、第１の条件の発生が提供され得る。
【００３６】
本発明の第５の側面は、撮像設備、パワーインジェクタ、および、パワーインジェクタ上に設置され、かつシリンジデータタグを含む、シリンジを含む医療システムの動作の方法によって具体化される。エネルギーは、医療画像を取得するために、１つ以上の時間において撮像設備から出力され得る。撮像設備からのこのエネルギー出力に晒される環境は、第１の条件の発生について監視される。シリンジデータタグとのシリンジ通信は、第１の条件の発生の識別に応答して開始される。
【００３７】
いくつかの特徴の改良および追加的特徴が、本発明の第５の側面に適用可能である。これらの特徴の改良および追加的特徴は、個別に、または任意の組み合わせで使用されてもよい。以下の論議は、本発明の第５および第６の側面の各々に別個に適用可能である、特徴の改良／追加的特徴の論議の開始まで、第５の側面に適用可能である。
【００３８】
監視されるエネルギー出力は、限定ではないが、ＭＲスキャナまたはその同等物により発せられるＲＦ信号を含む、任意の適切な形式であり得る。第１の条件の発生について監視されるエネルギー出力は、パワーインジェクタが位置する環境から得られ得る。一実施形態では、パワーインジェクタは、撮像設備からのエネルギー出力に関して、監視機能を提供する。
【００３９】
第１の条件は、撮像設備からのエネルギー出力が少なくとも実質的にゼロである場合、撮像設備の撮像エネルギー源が非作動状態にある場合、撮像設備の撮像エネルギー源が少なくともある量の時間の間非作動状態にあった場合、撮像設備が画像取得モード以外のモードにある場合、または任意のそれらの組み合わせの場合として特徴付けられ得る。別の選択肢は、第１の条件がパターンに基づくものである。この点に関し、環境は、まず、オン／オフ状態間または作動／非作動状態間で撮像設備の撮像エネルギー源をサイクル動作させるために使用されるパターンを識別するように監視され得る。このパターンが識別されると、撮像設備の撮像エネルギー源が、前に識別されたパターンに従ってオフ状態または非作動状態にあるはずである時に、シリンジ通信が開始され得る。
【００４０】
環境は、撮像設備からのエネルギー出力に関して、任意の適切な方式で監視されてもよい。一実施形態では、パワーインジェクタは、この監視機能を提供し、かつシリンジＲＦＩＤタグの形式である場合にシリンジデータタグと通信することもできる、ＲＦＩＤ読み出し／書き込み機器（例えば、ＲＦＩＤアンテナ）を含む。したがって、ＲＦＩＤ読み出し／書き込み機器は、シリンジ通信をトリガするために使用される情報を取得するために撮像設備の動作を監視し、また、このようなシリンジ通信に使用され得る。
【００４１】
いくつかの特徴の改良および追加的特徴は、第４および第５の側面の各々に対して適用可能である。これらの特徴の改良および追加的特徴は、第４および第５の側面の各々に関して、個々にまたは任意の組み合わせで使用されてもよい。以下の論議は、本発明の第６の側面の議論の開始まで、第４および第５の側面の各々に別個に適用可能である。
【００４２】
信号は、第１の位置から送信されてもよく、第２の位置において受信されてもよく、第２の条件の発生についてのその信号の受信の後に監視されてもよい。この第２の条件は、最小限の信号減衰の形式であり得る（例えば、信号の少なくともある量の減衰がその送信時間とその受信時間との間に存在したか否かに関する判定）。第２の条件査定の目的のためのこの信号は、任意の適切な種類であり得るが、一実施形態では、信号は、ＲＦ信号の形式である。
【００４３】
信号は、事前充填シリンジゾーンを通って送信され得る。したがって、信号は、第１の位置から事前充填シリンジゾーンを通って第２の位置に進行する。一実施形態では、第２の条件は、第１の位置から送信された後、かつ第２の位置において受信されるまで、信号の少なくともある量の減衰が存在した場合に発生する。一実施形態では、第１の条件（例えば、第４および第５の側面のいずれかに従う）および第２の条件の各々が識別された場合にのみ、シリンジタグとのシリンジ通信が開始される（すなわち、この場合、第１および第２の条件の各々は、まず、シリンジ通信が開始され得る前に識別されなければならない）。
【００４４】
パワーインジェクタは、シリンジクランプを含み得、このシリンジクランプは、第３の条件の発生について、任意の適切な方式で監視され得る。この第３の条件は、シリンジクランプが所定の構成（例えば、閉鎖構成、開放構成、その開放構成と閉鎖構成との間の中間構成）にある場合のものであり得る。一実施形態では、第１の条件（例えば、第４および第５の側面のいずれかに従う）および第３の条件の各々が識別された場合にのみ、シリンジ通信は、開始される（すなわち、この場合、第１および第３の条件の各々は、まず、シリンジ通信が開始され得る前に識別されなければならない）。
【００４５】
本発明の第６の側面は、パワーインジェクタの動作の方法によって具現化される。信号は、第１の位置から送信されてもよく、第２の位置において受信されてもよく、第１の条件の発生についてのその信号の受信の後に監視されてもよい。この第１の条件は、最小信号減衰の形式、つまり、信号が元々送信された時間とこの信号が受信された時間とから、信号の少なくともある量の減衰が存在したか否かに関する判定が存在することである。この第１の条件は、事前充填シリンジがパワーインジェクタ上に設置されたことと同等である。
【００４６】
いくつかの特徴の改良および追加的特徴は、第６の側面に対して適用可能である。これらの特徴の改良および追加的特徴は、第６の側面に関して、個々に、または任意の組み合わせで使用されてもよい。以下の論議は、第１から第６の側面の各々に別個に適用可能である、特徴の改良および追加的特徴の論議の開始まで、第６の側面に適用可能である。
【００４７】
限定ではないが、ＲＦ信号を含む任意の適切な信号を第６の側面の目的のために利用してもよい。信号は、事前充填シリンジゾーンを通して送信されてもよい。第１の条件の発生の識別は、任意の目的または目的の組み合わせのために使用されてもよい。一実施形態では、事前充填シリンジがパワーインジェクタ上に設置されたことを任意の適切な方式で示すために、少なくとも１つの通知が発行される。第１の条件の発生の識別は、シリンジ通信、つまり事前充填シリンジの１つ以上のシリンジデータタグとの通信を開始するために使用され得る。これらの作用の両方は、第１の条件が識別された場合に行われ得る。
【００４８】
パワーインジェクタは、シリンジクランプを含んでもよく、このシリンジクランプは、第２の条件の発生について、任意の適切な方式で監視されてもよい。この第２の条件は、シリンジクランプが所定の位置または構成（例えば、閉鎖構成、開放構成、その開放構成と閉鎖構成との間の中間構成）にある場合のものであり得る。一実施形態では、シリンジ通信（例えば、少なくとも１つのシリンジデータタグとの通信）は、第１の条件（例えば、事前充填シリンジの設置）および第２の条件（例えば、シリンジクランプが所定の構成にあること）の各々が識別された場合にのみ開始される（すなわち、この場合、第１および第２の条件の各々は、まず、シリンジ通信を開始するために識別されなければならない）。別の実施形態では、シリンジ通信（例えば、少なくとも１つのシリンジデータタグとの通信）は、第１の条件（例えば、事前充填シリンジの設置）または第２の条件（例えば、シリンジクランプが所定の構成にあること）のいずれかが識別された場合に開始される（すなわち、この場合、第１および第２の条件のうちの１つのみが、シリンジ通信を開始するために識別される必要がある）。
【００４９】
いくつかの特徴の改良および追加的特徴が、本発明の上述の第１から第６の側面の各々に対して、別個に適用可能である。これらの特徴の改良および追加的特徴は、第１から第６の側面の各々に関して、個別に、または任意の組み合わせで使用されてもよい。最初に、「単数形の」文脈またはそれと同様なものに限定されるように意図される任意の特徴は、本明細書において「のみ」、「単一」、「限定される」、またはそれと同様なもの等の用語によって明確に記載される。一般的に受け入れられている前例を根拠とした実践に従って１つの特徴を単に導入するだけでは、その対応する特徴を単数に限定しない（例えば、パワーインジェクタが「１つのシリンジ」を含むことを示すだけでは、パワーインジェクタが単一のシリンジしか含まないことを意味しない）。さらに、「少なくとも１つ」等の語句を使用しないことも、その対応する特徴を単数形に限定しない（例えば、パワーインジェクタが「１つのシリンジ」を含むことを示すだけでは、パワーインジェクタが単一のシリンジしか含まないことを意味しない）。最後に、特定の特徴に関する「少なくとも概して」またはそれと同様なものの語句の使用は、その対応する特性およびそのあまり大きくはない変形を包含する（例えば、シリンジバレルが少なくとも概して円筒形であると示すことは、シリンジバレルが円筒形であることを包含する）。
【００５０】
本発明の種々の側面のうちのいずれかによって利用され得る任意の「論理」は、限定ではないが、任意の適切なソフトウェア、ファームウェア、またはハードウェアで、１つ以上のプラットフォームを使用して、１つ以上のプロセッサを使用して、任意の適切な種類のメモリを使用して、任意の適切な種類の任意の単一のコンピュータ、または任意の適切な方式で相互連結された任意の適切な種類の複数のコンピュータを使用して、またはそれらの任意の組み合わせを含む、任意の適切な方式で実装されてもよい。この論理は、任意の単一の場所で、または任意の適切な方式で（例えば、任意の種類のネットワークを介して）相互連結される複数の場所で実装されてもよい。
【００５１】
「シリンジ通信」は、シリンジに送信される通信、シリンジから受信される通信、またはその両方を包含する。シリンジ通信は、任意の適切な種類および任意の適切な形式であり得る（例えば、ＲＦ信号）。任意の適切な通信機器（例えば、ＲＦアンテナ等のＲＦＩＤ読み出し／書き込み機器）は、シリンジ通信をシリンジに送信するか、シリンジからシリンジ通信を受信するか、またはその両方のために、パワーインジェクタによって任意の適切な方式で実装されてもよい。複数の通信機器が、パワーインジェクタによって使用されてもよく、任意の適切な配列で配置されてもよい。
【００５２】
パワーインジェクタにより使用される１つ以上のシリンジは、パワーインジェクタと通信するために（例えば、シリンジ通信を介して）、任意の適切なデータストレージ機器を含み得る。本明細書において「シリンジデータタグ」と言及することは、シリンジに関する情報を、任意の適切な方式で、シリンジ上の任意の適切な位置または位置の組み合わせ（例えば、ＲＦＩＤタグ）において格納するための任意の適切な構造または構造の組み合わせを網羅するように意図される。任意の適切な情報は、シリンジデータタグ上に任意の適切な方式で格納されてもよい。パワーインジェクタにより使用される各シリンジは、任意の適切な数のシリンジデータタグを有してもよい。パワーインジェクタ上に設置されるシリンジの全てが少なくとも１つのシリンジデータタグを有することを必要としているわけではないが、このような場合もあり得ることを理解されたい。
【００５３】
シリンジクランプが「所定の位置または構成」にあることは、シリンジ通信を開始するためのトリガ条件であり得る。シリンジクランプは、このような所定の位置または構成（例えば、開放構成または閉鎖構成）に対応する固定位置に移動し得る。しかしながら、シリンジクランプは、シリンジクランプが、シリンジ通信を開始するためのトリガ条件である所定の位置または構成にある時に移動中であり得る。シリンジクランプのある移動は、実際は、シリンジ通信を開始するためのトリガ条件である所定の位置または構成であり得る。ゆえに、シリンジ通信のための「トリガ条件」を満たすために、シリンジクランプが固定状態または構成にあることは必要とされない。
【００５４】
パワーインジェクタは、任意の適切なサイズ、形状、構成、および／または種類であり得る。パワーインジェクタは、任意の適切なサイズ、形状、構成、および／または種類の１つ以上のシリンジプランジャ駆動体を利用してもよく、この場合、このような各シリンジプランジャ駆動体は、少なくとも双方向移動（例えば、流体を放出するための第１の方向における移動、流体の装填に適応するため、または後続の流体の放出動作のための位置に戻るための、第２の方向における移動）が可能であり、このような各シリンジプランジャ駆動体は、（例えば、流体を放出するために）少なくとも１つの方向にシリンジプランジャを前進させることができるように、任意の適切な方式で（例えば、機械的接触によって、（機械的または別様の）適切な結合によって）、その対応するシリンジプランジャと相互作用し得る。各シリンジプランジャ駆動体は、任意の適切なサイズ、形状、構成、および／または種類の１つ以上の駆動源を利用してもよい。複数の駆動源出力は、所与の時に単一のシリンジプランジャを前進させるように、任意の適切な方式で組み合わせられてもよい。１つ以上の駆動源が、単一のシリンジプランジャ駆動体専用であってもよく、１つ以上の駆動源が、複数のシリンジプランジャ駆動体に関連付けられてもよく（例えば、一方のシリンジプランジャから別のシリンジプランジャに出力を変更するように、一種の伝送を組み込む）、またはそれらの組み合わせであってもよい。代表的な駆動源の形式は、ブラシ付きまたはブラシレス電気モータ、油圧モータ、空気圧モータ、圧電モータ、またはステッピングモータを含む。
【００５５】
パワーインジェクタは、限定ではないが、任意の適切な医療用途（例えば、コンピュータ断層撮影法またはＣＴ映像法、磁気共鳴映像法またはＭＲＩ、単一光子放射型コンピュータ断層撮影法またはＳＰＥＣＴ撮像法、陽電子放射型断層撮影法またはＰＥＴ撮像法、Ｘ線映像法、血管造影法、光学映像法、超音波映像法）を含む、１つ以上の医療用流体の送達が所望される任意の適切な用途に使用されてもよい。パワーインジェクタは、適切な撮像システム（例えば、ＣＴスキャナ）等の、任意の構成要素または構成要素の組み合わせとともに使用されてもよい。例えば、情報は、任意のこのようなパワーインジェクタと、１つ以上の他の構成要素との間で伝達され得る（例えば、スキャン遅延情報、注入開始信号、注入率）。
【００５６】
任意の適切な数のシリンジが、任意の適切な方式で（例えば、着脱式、前方装填式、後方装填式、側面装填式）、パワーインジェクタとともに利用されてもよく、任意の適切な医療用流体が、パワーインジェクタの所与のシリンジから放出されてもよく（例えば、造影剤、放射性医薬品、食塩水、およびそれらの任意の組み合わせ）、任意の適切な流体が、任意の適切な方式で（例えば、連続的に、同時に）多重シリンジパワーインジェクタ構成から放出されてもよく、またはそれらの任意の組み合わせである。一実施形態では、パワーインジェクタの動作によってシリンジから放出される流体は、導管（例えば、医療用配管）内に向けられ、その場合、この導管は、任意の適切な方式でシリンジと流体的に相互連結され、流体を所望の位置に（例えば、注入のために患者に挿入されるカテーテルに）向ける。複数のシリンジが、（例えば、単一の注入部位に提供するために）共通の導管内に放出してもよく、または１つのシリンジが、（例えば、１つの注入部位に提供するために）１つの導管内に放出してもよい一方で、別のシリンジが、（例えば、異なる注入部位に提供するために）異なる導管内に放出してもよい。一実施形態では、各シリンジは、シリンジバレルと、シリンジバレル内に配置され、かつシリンジバレルに対して可動であるプランジャとを含む。このプランジャは、シリンジプランジャ駆動体が、少なくとも１つの方向に、および恐らくは２つの異なる反対の方向に、シリンジプランジャを前進させることができるように、パワーインジェクタのシリンジプランジャ駆動体と界面接触してもよい。
【図面の簡単な説明】
【００５７】
【図１Ａ】図１Ａは、パワーインジェクタの一実施形態の概略図である。
【図１Ｂ】図１Ｂは、注入器の注入器ヘッドの斜視図であり、その前方エリアに取り付けられるシリンジを有する。
【図２Ａ】図２Ａは、シリンジ装着具の例示的一実施形態の分解図である。
【図２Ｂ】図２Ｂは、組立状態における図２Ａのシリンジ装着具の斜視図である。
【図３Ａ】図３Ａは、図２Ｂのシリンジ装着具の切断図であり、特に、シリンジ装着具のアクチュエータを示す。
【図３Ｂ】図３Ｂは、図３Ａの線３Ｂ−３Ｂに沿った断面図である。
【図４Ａ】図４Ａは、図２Ｂのシリンジ装着具の切断図であり、特に、開放位置におけるシリンジ装着具の第１および第２の可動部材を示す。
【図４Ｂ】図４Ｂは、図４Ａの線４Ｂ−４Ｂに沿った断面図であり、駆動ラムのプランジャ結合要素に近接して位置付けられるシリンジプランジャの結合機構も示す。
【図５Ａ】図５Ａは、図２Ｂのシリンジ装着具の切断図であり、特に、第１および第２の可動部材が閉鎖位置にあり、かつシリンジと係合することを示す。
【図５Ｂ】図５Ｂは、図５Ａの線５Ｂ−５Ｂに沿った断面図であり、駆動ラムのプランジャ結合要素と係合したシリンジプランジャの裏側上の結合機構も示す。
【図６】図６は、パワーインジェクタを利用する撮像システムの一実施形態の概略図であり、このパワーインジェクタは、シリンジ通信論理を含む。
【図７】図７は、図６のパワーインジェクタにより使用され得るパワーインジェクタ通信プロトコルの一実施形態である。
【図８】図８は、図７のパワーインジェクタ通信プロトコルにより使用され得る監視プロトコルの一実施形態であり、読み出し／書き込み通信を開始することは、パワーインジェクタのパワーヘッドの配向における変化に基づく。
【図９】図９は、図７のパワーインジェクタ通信プロトコルにより使用され得る監視プロトコルの一実施形態であり、読み出し／書き込み通信を開始することは、シリンジクランプが所定の状態／構成に／を通して移動することに基づく。
【図１０】図１０は、図７のパワーインジェクタ通信プロトコルにより使用され得る監視プロトコルの一実施形態であり、読み出し／書き込み通信を開始することは、減衰分析を通してパワーインジェクタ上で事前充填シリンジが検出されることに基づく。
【図１１Ａ】図１１Ａは、図７のパワーインジェクタ通信プロトコルにより使用され得る監視プロトコルの一実施形態であり、読み出し／書き込み通信を開始することは、撮像エネルギー源の出力の監視に基づく。
【図１１Ｂ】図１１Ｂは、図７のパワーインジェクタ通信プロトコルにより使用され得る監視プロトコルの一実施形態であり、読み出し／書き込み通信を開始することは、撮像エネルギー源の出力のパターンを識別することに基づく。
【発明を実施するための形態】
【００５８】
（詳細な説明）
図１Ａは、パワーヘッド２１２を有するパワーインジェクタ２１０の一実施形態の概略図を提示する。１つ以上のグラフィカルユーザインターフェースまたはＧＵＩ２１１が、パワーヘッド２１２に関連付けられ得る。各ＧＵＩ２１１は、１）任意の適切なサイズ、形状、構成、および／または種類であり得、２）任意の適切な方式でパワーヘッド２１２と動作可能に相互連結されてもよく、３）任意の適切な位置に配置されてもよく、４）以下の機能のうちの１つまたは任意の組み合わせを提供するように構成されてもよく、これら機能は、パワーインジェクタ２１０の動作の１つ以上の側面の制御、パワーインジェクタ２１０の動作に関連付けられる１つ以上のパラメータの入力／編集、および適切な情報（例えば、パワーインジェクタ１０の動作に関連する情報）の表示であり、あるいは、５）前述の任意の組み合わせである。任意の適切な数のＧＵＩ２１１を利用してもよい。一実施形態では、パワーインジェクタ２１０は、パワーヘッド２１２から分離されるもののパワーヘッド２１２と通信するコンソールによって組み込まれるＧＵＩ２１１を含む。別の実施形態では、パワーインジェクタ２１０は、パワーヘッド２１２の部分であるＧＵＩ２１１を含む。さらに別の実施形態では、パワーインジェクタ２１０は、パワーヘッド２１２と通信する別個のコンソール上で一方のＧＵＩ２１１を利用し、また、パワーヘッド２１２上にある別のＧＵＩ２１１も利用する。各ＧＵＩ２１１は、同じ機能性または一組の機能性を提供し得るか、またはＧＵＩ２１１は、そのそれぞれの機能性に関して、少なくともいくつかの点で異なってもよい。
【００５９】
シリンジ２２８は、このパワーヘッド２１２上に設置されてもよく、設置される場合、パワーインジェクタ２１０の部分と考えられ得る。注入処置によっては、比較的高い圧力がシリンジ２２８内で生成される場合がある。この点に関し、圧力ジャケット２２６内にシリンジ２２８を配置することが望ましくてもよい。圧力ジャケット２２６は、典型的には、パワーヘッド２１２上にシリンジ２２８を設置することの一部として、またはそのような設置の後に、シリンジ２２８を圧力ジャケット２２６の中に配置可能にする方式で、パワーヘッド２１２と関連付けられる。同圧力ジャケット２２６は、典型的には、複数の注入処置のために種々のシリンジ２２８を圧力ジャケット２２６内に位置付ける際に、および圧力ジャケット２２６から除去する際に、パワーヘッド２１２と関連付けられたままである。パワーインジェクタ２１０が低圧注入のために構成／利用される場合、および／またはパワーインジェクタ２１０とともに利用されるシリンジ（単数または複数）２２８が、圧力ジャケット２２６により提供される追加的支持なく高圧注入に耐えるのに十分な耐久性を有する場合に、パワーインジェクタ２１０は、圧力ジャケット２２６を排除してもよい。いずれにしても、シリンジ２２８から放出される流体は、任意の適切なサイズ、形状、構成、および／または種類の導管２３８の中へ向けられてもよく、これは、任意の適切な方式でシリンジ２２８と流体的に相互連結されてもよく、かつ流体を任意の適切な位置に（例えば、患者に）向けてもよい。
【００６０】
パワーヘッド２１２は、シリンジ２２８から流体を放出するようにシリンジ２２８（例えば、そのプランジャ２３２）と相互作用（例えば、界面接触）する、シリンジプランジャ駆動アセンブリまたはシリンジプランジャ駆動体２１４を含む。このシリンジプランジャ駆動アセンブリ２１４は、駆動出力部２１８（例えば、回転可能な打込みネジ）に動力供給する、駆動源２１６（例えば、任意の適切なサイズ、形状、構成、および／または種類のモータ、任意選択の歯車装置、およびその同等物）を含む。ラム２２０は、駆動出力２１８によって、適切な経路（例えば、軸方向）に沿って前進させられ得る。ラム２２０は、以下に論じられる方式で、シリンジ２２８の対応する部分と相互作用または界面接触するための連結具２２２を含み得る。
【００６１】
シリンジ２２８は、（例えば、双頭矢印Ｂと一致する軸に沿った軸方向往復運動のために）シリンジバレル２３０内で移動可能に配置される、プランジャまたはピストン２３２を含む。プランジャ２３２は、連結具２３４を含み得る。このシリンジプランジャ連結具２３４は、シリンジプランジャ駆動アセンブリ２１４がシリンジバレル２３０内でシリンジプランジャ２３２を後退させることを可能にするように、ラム連結具２２２と相互作用または界面接触し得る。シリンジプランジャ連結具２３４は、ヘッドまたはボタン３６ｂとともにシリンジプランジャ２３２の本体から延出する、シャフト２３６ａの形式であり得る。しかしながら、シリンジプランジャ連結具２３４は、任意の適切なサイズ、形状、構成、および／または種類であり得る。
【００６２】
概して、パワーインジェクタ２１０のシリンジプランジャ駆動アセンブリ２１４は、シリンジプランジャ２３２を（シリンジバレル２３０に対して）少なくとも１つの方向に移動または前進させることが可能であるように（例えば、対応するシリンジ２２８から流体を放出するために）、任意の適切な方式で（例えば、機械的接触によって、適切な連結（機械的または別様）によって）、シリンジ２２８のシリンジプランジャ２３２と相互作用し得る。すなわち、シリンジプランジャ駆動アセンブリ２１４は、双方向運動（例えば、同一の駆動源２１６の動作を介して）が可能であってもよいが、パワーインジェクタ２１０は、シリンジプランジャ駆動アセンブリ２１４の動作が、実際は、パワーインジェクタ２１０が使用する各シリンジプランジャ２３２を一方向のみに移動させるだけであるように構成されてもよい。しかしながら、シリンジプランジャ駆動アセンブリ２１４は、このような各シリンジプランジャ２３２が２つの異なる方向（例えば、共通の軸方向経路に沿った異なる方向）の各々に移動することができるように、パワーインジェクタ２１０が使用する各シリンジプランジャ２３２と相互作用するように構成されてもよい。
【００６３】
シリンジプランジャ２３２の後退は、後続する注入または放出のために、シリンジバレル２３０内への流体の装填に適応するために利用されてもよく、後続する注入または放出のためにシリンジバレル２３０内へ流体を実際に引き込むために利用されてもよく、または任意の他の適切な目的に利用されてもよい。ある種の構成は、シリンジプランジャ駆動アセンブリ２１４がシリンジプランジャ２３２を後退させることができることを要求しなくてもよく、この場合、ラム連結具２２２およびシリンジプランジャ連結具２３４が所望されなくてもよい。この場合、シリンジプランジャ駆動アセンブリ２１４は、（例えば、別の事前充填シリンジ２２８が設置された後に）別の流体送達動作を実行する目的で後退させられてもよい。ラム連結具２２２およびシリンジプランジャ連結具２３４を利用する場合であっても、ラム２２０がシリンジプランジャ２３２を前進させてシリンジ２２８から流体を放出する場合に、これらの構成要素を連結してもしなくてもよいようにしてもよい（例えば、ラム２２０が単にシリンジプランジャ連結具２３４またはシリンジプランジャ２３２の近位端を「押圧」してもよい）。任意の適切な寸法または寸法の組み合わせにおける任意の単一の運動または組み合わせた運動を利用して、ラム連結具２２２およびシリンジプランジャ連結具２３４を連結状態もしくは連結条件に配置してもよく、ラム連結具２２２およびシリンジプランジャ連結具２３４を非連結状態もしくは非連結条件に配置してもよく、またはその両方であってもよい。
【００６４】
シリンジ２２８は、任意の適切な方式でパワーヘッド２１２上に設置されてもよい。例えば、シリンジ２２８は、パワーヘッド２１２上に直接設置されるように構成され得る。図示した実施形態では、シリンジ２２８とパワーヘッド２１２との間に界面を提供するように、筐体２２４がパワーヘッド２１２上に適切に装着される。この筐体２２４は、シリンジ２２８の１つ以上の構成が設置され得るアダプタの形式であってもよく、この場合、シリンジ２２８の少なくとも１つの構成は、任意のこのようなアダプタを使用せずに、パワーヘッド２１２上に直接設置され得る。また、筐体２２４は、シリンジ２２８の１つ以上の構成が設置され得る面板の形式であってもよい。この場合、パワーヘッド２１２上にシリンジ２２８を設置するために面板が必要とされ、面板なしでシリンジ２２８をパワーヘッド２１２上に設置することができないようなものであってもよい。圧力ジャケット２２６が使用されている場合、圧力ジャケット２２６は、シリンジ２２８に関連して本明細書において論じられる種々の方式で、パワーヘッド２１２上に設置されてもよく、次いで、シリンジ２２８は、その後、圧力ジャケット２２６の中に設置される。
【００６５】
筐体２２４は、シリンジ２２８の設置時に、パワーヘッド２１２上に装着され、パワーヘッド２１２に対して固定位置にとどまり得る。別の選択肢は、シリンジ２２８の設置に適応するように、筐体２２４およびパワーヘッド２１２を可動なように相互連結することである。例えば、筐体２２４は、双頭矢印Ａを含有する平面内で移動して、ラム連結具２２２とシリンジプランジャ連結具２３４との間で、連結状態または条件および非連結状態または条件のうちの１つ以上を提供し得る。
【００６６】
図１Ｂを参照すると、パワーインジェクタ１０は、スタンド２８（例えば、図示されない、運搬可能性のために車輪ベースまたはその同等物を含み得る）の上に、適切な連結具またはその同等物を介した壁または天井の上に、または任意の他の適切な支持具の上に装着され得る、筐体またはパワーヘッド４２を含む。パワーヘッド４２は、軸４３の周りで旋回可能であり、所望の配向で旋回および維持され（例えば、図示したノブを介して）、これにより、任意の適切な機能を提供し得る。例えば、シリンジ１４がパワーヘッド４２上に設置される場合、パワーヘッド４２は、シリンジ１４の放出先端２６が水平線を越える位置に傾けられ（例えば、シリンジ１４の放出先端２６が少なくとも概して上方に突出するように）、これにより、流体をシリンジ１４内に装填し得るか、シリンジ１４および／または相互連結される任意の配管から空気を一掃し得るか、またはその両方を行う。パワーヘッド４２は、シリンジ１４の放出先端２６が水平線の下である位置に傾けられ（例えば、シリンジ１４の放出先端２６が少なくとも概して下方に突出するように）、これにより、流体をシリンジ１４から放出し得る（例えば、カテーテルまたはその同等物を介して患者に注入するために）。
【００６７】
パワーインジェクタ１０は、注入器アセンブリを提供するために、駆動ラム１６と整合してシリンジ１４を注入器１０に取り付けることを容易にするための、シリンジ装着具１２を含む。注入器１０とともに使用するためのシリンジ１４は、概して、本体１８（外面円筒状バレルの形式であり得る）を含み、これは、その前方端部２０において、円錐状前壁２２と一体型である。放出先端２６において終端となる首部２４は、概して、円錐状前壁２２から前方に延出し、円錐状前壁２２と一体型であり得る。シリンジ１４の本体１８は、このような圧力ジャケットまたはクレードル３０が注入器１０上に存在する場合に、圧力ジャケット（図示せず）またはクレードル３０の内壁と界面接触し得る。シリンジ１４は、注入器１０と連動して使用する場合に、シリンジ嵌合区分３２を含み、これは、半径方向外向きに延出するフランジ３４の形式であり得る。このフランジ３４は、シリンジ１４の長手方向軸３６に実質的に垂直である平面内に位置付けられ、概して、シリンジ１４の本体１８の後方端部３８と一体型であり得る。シリンジ１４が注入器１０に関連付けられる場合、フランジ３４は、注入器１０の筐体４２の前方端部４０に位置するシリンジ装着具１２内に、かつ／またはシリンジ装着具１２と接触して位置付けられる。シリンジ嵌合区分３２およびシリンジ装着具１２は、以下にさらに詳細に説明するように、シリンジ１４の注入器１０への動作可能な連結を容易にするように利用され得る。
【００６８】
シリンジ１４の放出先端２６は、その遠隔端部において規定されるオリフィス４４を有し、これは、首部２４、円錐状前壁２２、およびシリンジ１４の本体１８内に規定される内部シリンジ空洞４６と連通し得る。空洞４６の後方端部４８は、シリンジプランジャ５２の概して前方に面する表面５０によって規定され得る。図示する実施形態では、この前方に面する表面５０は、実質的に円錐状である。表面５０は、円錐状前壁２２の内部の傾斜に一致する傾斜であり得る。シリンジプランジャ５２は、空洞４６が変動可能な体積を有するように、シリンジ１４の本体１８内で密着して摺動可能であり得る。配管（図示せず）は、流体が配管を通ってシリンジ１４から伝達可能であるように、放出先端２６に動作可能に連結され得る。
【００６９】
次に図１、図４Ｂ、および図５Ｂを参照すると、シリンジプランジャ５２が、シリンジ１４の本体１８内においてより明確に分かる。シリンジ１４が注入器１０に取り付けられる場合、シリンジプランジャ５２は、好ましくは、注入器１０の駆動ラム１６に近接して、かつそれに実質的に整合して位置する。駆動ラム１６は、モータ（図示せず）によって駆動されて、その長手方向軸５４に沿って前方運動または後方運動で移動して駆動ラム１６を配備し、このようにして、それに応答して、シリンジ１４の長手方向軸３６に沿って前方運動または後方運動でシリンジプランジャ５２を配備して、流体の患者への注入またはシリンジ１４の流体による充填をそれぞれ行う。例えば、事前充填シリンジを注入器１０内に装填してもよく、プランジャ５２を前方方向に配備することによって、流体をシリンジ１４から吐出してもよい。このようにして、流体は、患者に注入され得る。代替として、空のシリンジを注入器１０内に装填してもよいが、シリンジプランジャ５２は、その最も前方の位置に、またはその付近に位置し得る。その後、流体をシリンジ１４内に引き込むために、シリンジ１４を流体源に動作可能に連結し、かつシリンジプランジャ５２を後方方向に後退させることによって、流体（例えば、造影剤）をシリンジ１４内に装填し得る。
【００７０】
注入器１０は、変動する体積の事前充填シリンジまたは空シリンジに適応するように設計され得る。例えば、注入器１０は、１２５ｍｌの事前充填シリンジ（例えば、ミズーリ州、セントルイスのＭａｌｌｉｎｃｋｒｏｄｔ  Ｉｎｃ．から市販されるＵｌｔｒａｊｅｃｔ（登録商標）シリンジ）を受容するように適合され得る。このようなシリンジは、造影剤を患者に注入するために使用され得る。これらの１２５ｍｌシリンジは、５０ｍｌ、７５ｍｌ、１００ｍｌ、１２５ｍｌ、または他の量等の多様な適切量の流体のいずれかで事前充填されてもよい。加えて、注入器１０は、多様なサイズ（例えば、５０ｍｌ、７５ｍｌ、１００ｍｌ、１２５ｍｌ、１３０ｍｌ等）のいずれかの空シリンジに適応し得る。
【００７１】
図２Ａ〜図５Ｂを参照すると、シリンジ装着具１２の一実施形態が示される。シリンジ装着具１２は、オリフィス６０を規定する壁部材５８を含む可動アクチュエータ５６と、アクチュエータ５６に動作可能に結合され、かつシリンジ装着具とともに応答して可動である、少なくとも１つの第１の可動部材６２とを含む。より具体的には、図示する実施形態のシリンジ装着具１２は、アクチュエータ５６の壁部材５８に動作可能に結合される第１および第２の可動部材６２、６４を含む。第１および第２の可動部材６２、６４は、そこに動作可能に連結される第１および第２のピン６６、６８を含む。第１のピン６６は、第１の可動部材６２の第１の端部７０付近に動作可能に結合され、第２のピン６８は、第２の可動部材６４の第１の端部７２付近に動作可能に結合される。第１および第２のピン６６、６８は、アクチュエータ５６の壁部材５８内に規定される少なくとも１つのスロット７４に受容されて、第１および第２の可動部材６２、６４を第１および第２のピン６６、６８に結合する。アクチュエータ５６は、第１および第２の可動部材６２、６４の近位に配置される。さらに、第１および第２の部材６２、６４は、そこから後方に突出する第１および第２のロッド６７、６９を含み得る。これらの第１および第２のロッド６７、６９は、第１および第２の可動部材６２、６４が開放位置と閉鎖位置との間で移動する際に、アクチュエータ５６の壁部材５８の外側輪郭に沿って対向および移動し得る。
【００７２】
スロット７４は、その基部７６において、アクチュエータ５６の壁部材５８によって規定される。第１および第２のピン６６、６８は、スロット７４内において可動（例えば、摺動可能、および任意選択により回転可能）である。第１および第２のピン６６、６８の各々は、スロット７４の中心７８に近位の位置から、スロット７４の第１および第２の終端部８０、８２付近の位置まで移動することができる。第１および第２のピン６６、６８は、両方ともがスロット７４の片側上で移動しない。むしろ、第１のピン６６は、スロット７４の一部分内で移動するように適合され、第２のピン６８は、スロット７４の別の部分内で移動するように適合される。具体的には、図示する実施形態では、壁部材５８の基部７６は、少なくとも概して「Ｖ」に類似する形状でその上部部分を有する開口部８４を含む。第１および第２のピン６６、６８は、この開口部８４の「Ｖ」部分に配置される。第１および第２のピン６６、６８が、「Ｖ」の２つの脚部の交差点付近に位置付けられる場合、第１および第２の可動部材６２、６４は、開放位置にある（図４Ａ参照）。第１および第２のピン６６、６８が、「Ｖ」の第１および第２の終端部８０、８２付近に位置付けられる場合、第１および第２の可動部材６２、６４は、閉鎖位置にある（図５Ａ参照）。図示する実施形態のスロット７４は、概して「Ｖ」形状を有するものとして本明細書に図示および説明されるが、必ずしもこのような「Ｖ」形状である必要はなく、第１および第２の可動部材６２、６４をスロット内において十分移動可能にして、シリンジをインジェクタ１０に動作可能に連結する、任意の他の形状を使用することができることを当業者は認識する。例えば、スロット７４は、「Ｕ」または「Ｃ」形状を有してもよい。さらに、当業者は、２つ以上のスロットを使用してもよいことを認識する。例えば、壁部材５８の基部７６に近接する「Ｖ」形状を形成する２つのスロットは、「Ｖ」の先端付近で第１および第２のピン６６、６８を受容することができる。前述のように、当業者は、スロットが必ずしも「Ｖ」の形状である必要がないことを認識する。
【００７３】
図２Ａ〜図５Ｂから分かるように、シリンジ装着具１２のアクチュエータ５６および第１および第２の可動部材６２、６４は、注入器１０の筐体４２の面板８６内に保持される（面板の追加の図面は、図６〜図１２に示される）。特に図２Ａを参照すると、面板８６は、近位の壁部分８８、遠位の壁部分９０、遠位の壁部分９０から遠位に延出するクレードル３０、および結合板９２を含む。第１および第２の可動部材６２、６４は、結合板９２とアクチュエータ５６の壁部材５８との間に位置し、次いで、全ての３つの構成要素は、近位の壁部分８８と遠位の壁部分９０との間に形成される面板８６の内部空洞９４内に含まれる。アクチュエータ５６ならびに第１および第２の可動部材６２、６４は、内部空洞９４内において可動である。結合板は、好ましくは、近位および遠位の壁部分８８、９０のうちの少なくとも１つに固定される際に、好ましくは、面板８６の近位および遠位の壁部分に対して実質的に不動である。図示する実施形態では、この固定は、ネジ９６を使用することによって発生し、ネジ９６は、後方板９９におけるオリフィス９７、近位の壁部分８８におけるオリフィス９８、結合板９２におけるオリフィス１００を貫通し、遠位の壁部分９０におけるオリフィス（図示せず）に受容される。
【００７４】
結合板９２は、その近位の表面１０５から突出する第１および第２の旋回シャフト１０１、１０３を含む。これらの第１および第２の旋回シャフト１０１、１０３は、それぞれ、第１および第２の可動部材６２、６４内において規定される第１および第２のシャフト開口部１０７、１０９に受容される。したがって、第１および第２の可動部材６２、６４は、対応する第１および第２の旋回シャフト１０１、１０３の周りで旋回運動を呈することができる。言い換えると、第１および第２の可動部材６２、６４は、可動部材６２、６４がその周りで旋回することができる方式で、対応する第１および第２の旋回シャフト１０１、１０３に結合される。したがって、第１および第２の旋回シャフト１０１、１０３は、第１および第２の可動部材６２、６４に旋回点を提供すると言ってもよい。
【００７５】
シリンジ装着具１２内へのシリンジ１４の装填を開始するために、シリンジ１４の後方端部３８におけるフランジ３４は、シリンジ装着具１２の遠位の壁部分９０および結合板９２の各々における開口を通過し得、アクチュエータ５６内に規定されるオリフィス６０内に受容され得る。シリンジ１４の後方端部３８は、オリフィス６０内に位置する一方で、シリンジ１４は、注入器１０の駆動ラム１６の長手方向軸５４に実質的に垂直である第１の方向に移動し得る。本明細書において、この方向は、「下方」方向と呼ばれる（運動が注入器１０に対して下方であるため）。しかしながら、当業者は、運動が、「下方」である必要はなく、他の方向における運動がシリンジ１４の適切な係合をもたらすことができるように（「上方」移動、「側方」移動、または駆動ラム１６の長手方向軸５４と実質的に同軸関係に向かってシリンジ１４の長手方向軸３６が移動するような、任意の他の適切な、実質的に垂直な動きを含むが、これらに限定されない）、シリンジ装着具１２の構成要素を構成することができることを認識する。この下方運動は、次いで、応答して、アクチュエータ５６を下方方向に移動させる。下方方向におけるアクチュエータ５６の運動によって、第１および第２のピン６６、６８の各々は、壁部材５８の基部７６内に規定されるスロット７４の、対応する第１および第２の端部８０、８２に移動させられる。ピン６６、６８のこの移動は、固定結合板９２の第１および第２の旋回シャフト１０１、１０３が第１および第２の可動部材６２、６４の第１および第２のシャフト開口部１０７、１０９内に位置することに起因して、第１および第２の可動部材６２、６４が下方方向に移動不可能であることから、発生する。したがって、アクチュエータ５６が下方方向に移動する際、第１および第２のピン６６、６８は、スロット７４内のその第１および第２の終端８０、８２まで移動する。第１および第２の可動部材６２、６４は、下方に移動不可能であることから、これらは、その代わりに、第１および第２の旋回シャフト１０１、１０３が提供する旋回点の周りで旋回する。言い換えると、第１および第２の可動部材６２、６４は、それぞれの第１および第２のシャフト開口部１０７、１０９において、対応する第１および第２の旋回シャフト１０１、１０３の周りで回転する。したがって、第１および第２の可動部材６２、６４は、シリンジ１４の後方端部３８と係合する（例えば、実質的に、円周方向に包囲する）ように旋回する（図５Ａ参照）。シリンジ１４のフランジ３４は、可動部材６２、６４のこの旋回移動中にアクチュエータ５６内に位置することから、第１および第２の可動部材６２、６４は、シリンジ１４の（フランジ３４よりもむしろ）本体１８と係合する。シリンジ１４の本体１８とのこの係合が、本体１８の実質的な包囲として特徴付けられ得るように、可動部材６２、６４が設計される実施形態では、この種類の係合によって、従来のシリンジ装着具に見られるよりも多くのシリンジ１４の被覆が可能になり、ひいては、シリンジ１４がより大きな注入圧力に耐えることが潜在的に可能になると考えられ得る。
【００７６】
図示する実施形態では、第１および第２の可動部材６２、６４は、相互に反対側であり、駆動ラム１６の長手方向軸５４の周りに位置付けられる。さらに、第１および第２の可動部材６２、６４の各々は、弓状面１０２、１０４を有する。これらの弓状面１０２、１０４は、相互に直径方向に反対側であるように示され、シリンジ１４の本体１８の外部に位置する。シリンジ１４が注入器１０のシリンジ装着具１２に適切に係合される場合、シリンジ装着具１２の第１および第２の可動部材６２、６４は、シリンジ１４の外部本体１８の側面と接触して、シリンジ１４を適所に、かつ注入器１０の駆動ラム１６と整合して保持する。
【００７７】
いくつかの実施形態では、シリンジ１４を把持および／または保持するための可動部材６２、６４の能力を改善するために、可動部材６２、６４の弓状面１０２、１０４は、１つ以上の種類の係合強化特徴（例えば、溝、段差、窪み、リッジ、歯、それらの組み合わせ、およびその同等物）を有してもよい。いくつかの実施形態では、把持強化コーティング（例えば、Ｓａｎｔｏｐｒｅｎｅ（登録商標）エラストマー）を可動部材６２、６４の弓状面１０２、１０４に適用して、シリンジ１４の把持／保持を容易にしてもよい。
【００７８】
第１および第２の可動部材６２、６４の旋回移動によって、それらが相互に向かって、および離れるように旋回する際の弓状面１０２、１０４間の距離が変わる。図示する実施形態では、第１および第２の可動部材６２、６４の各々は、可動である。いくつかの実施形態では、不動部材であって、それに向かって単一の可動部材が移動し得る不動部材（例えば、弓状止め具または当接具）に対して間隔をおいて配置される単一の可動部材を使用することが可能である。
【００７９】
いくつかの実施形態では、第１および第２の可動部材６２、６４は、適切なシリンジ係合機能に必要ではない。このような実施形態では、シリンジ１４と係合するために単一の把持部材を使用することによって、シリンジ１４を注入器１０に動作可能に連結し得る。このような実施形態では、単一の可動部材は、本体１８との接触時に、シリンジ１４の円周を十分に被覆して、シリンジ１４を注入器１０に対抗するように保持するはずである。このような実施形態では、可動部材の中心点から延出する各アームは、アームが、シリンジ１４の挿入および／または除去を可能にするように外側および内側に広がり得るように、ある程度の弾性を有し得る。
【００８０】
アクチュエータ５６の壁部材５８は、第１の波状輪郭１０６および第２の波状輪郭１０８を含む外周側面１１０を有するように示される。図示するように、第２の波状輪郭１０８は、第１の波状輪郭１０６の実質的に反対側に位置付けられる。これらの第１および第２の波状輪郭１０６、１０８の各々は、第１の谷１１２、第２の谷１１４、およびその間に配置されるリッジ１１６を含む。注入器１０のシリンジ装着具１２内に位置付けられる場合、これらの第１および第２の波状輪郭１０６、１０８は、第１および第２の突出部１１８、１２０によって対面させられ（図２Ａおよび図５Ａ参照）、これらの突出部は、アクチュエータ５６が第１の位置と第２の位置との間で移動する際に、第１および第２の波状輪郭１０６、１０８の表面に沿って重なるように適合される。図示する実施形態では、第１および第２の突出部１１８、１２０は、面板８６の近位の壁部分８８に結合され、第１および第２の波状輪郭１０６、１０８の各々に向かう方向にバネ付勢される。第１および第２の戻り止め１１８、１２０と第１および第２の波状輪郭１０６、１０８との相互作用によって、シリンジ１４の装填または取り外しのいずれかのためにアクチュエータ５６を移動させることをユーザが望むまで、第１または第２の位置のいずれかにアクチュエータ５６を保持することが支援される。いくつかの実施形態では、第１および第２のピン６６、６８は、第１および第２の可動部材６２、６４の各々に関連付けられる付勢バネを含み得る。このような実施形態では、付勢バネの各々の一方の端部は、そのそれぞれに関連付けられる可動部材に接触してもよく、各付勢バネの反対側の端部は、注入器１０の筐体４２（または、面板８６）の部分に対抗するように着座または位置してもよい。いくつかの実施形態では、これらの付勢バネの少なくとも一部分は、ピン６６、６８の周りに配置され、これらのピンは、第１および第２の可動部材６２、６４の旋回軸を形成する。
【００８１】
シリンジ１４を注入器１０内に装填するために、シリンジ１４の後方端部３８におけるフランジ３４が、壁部材５８のオリフィス６０内に受容されて、これにより、フランジ３４の外周上の少なくとも１つの接触点１２２が、オリフィス６０を規定する外周表面１２４と接触するか、または接触させることができるように、シリンジ１４は、アクチュエータ５６の壁部材５８に対して位置付けられる。より具体的には、フランジ３４は、ある種の実施形態において、アクチュエータ５６内に凹部１２５によって受容され得る。アクチュエータ５６は、第１および第２の可動部材６２、６４が開放位置にあるように、第１の位置にあるものとして図４Ａに示される。また、この第１の位置では、第１および第２の突出部１１８、１２０は、対応する第１および第２の波状輪郭１０６、１０８の第１の谷１１２と接触する。第１および第２の突出部１１８、１２０のバネ付勢の力は、少なくとも、アクチュエータ５６の壁部材５８が支援を受けずに第２の位置まで移動することを防ぐことを支援する。さらに、注入器１０の駆動ラム１６は、好ましくは、プランジャ結合機構１２６が、シリンジプランジャ５２の後方面から延出する結合機構１２８と整合するように位置付けられる（図４Ｂ参照）。
【００８２】
次いで、ユーザは、駆動ラム１６の長手方向軸５４に実質的に垂直な方向に、およびそれに向かう方向において、シリンジ１４に力を印加する。壁部材５８の外周表面１２４に接触する、シリンジ１４のフランジ３４を利用して、アクチュエータ５６の壁部材５８を押し付けることによって、応答して、駆動ラム１６の長手方向軸５４に実質的に垂直な方向に移動させる。第１および第２の突出部１１８、１２０のバネ付勢を上回るのに十分な力を印加することによって、アクチュエータ５６が第１の位置から第２の位置まで移動するようにする。これが発生する際、第１および第２の突出部１１８、１２０は、第１の谷１１２からリッジ１１６に沿って第２の谷１１４まで、第１および第２の波状輪郭１０６、１０８に沿って重なる。次いで、第１および第２の突出部１１８、１２０を利用して、少なくとも図５Ａに示す第２の位置に壁部材５８を維持することを支援し得る。
【００８３】
第１の位置から第２の位置への壁部材５８の移動は、駆動ラムの長手方向軸５４に実質的に垂直な方向に壁部材５８のスロット７４を協調的に移動させる。したがって、スロット７４は、第１および第２のピン６６、６８に対して移動し、これによって、第１および第２のピン６６、６８は、スロット７４に対して、およびスロット７４内において移動する。より具体的には、図示する実施形態では、第１および第２のピン６６、６８は、「Ｖ」の先端に近位の位置から「Ｖ」の各脚部の終端に近位の位置まで（図４Ａに示す位置から図５Ａに示す位置まで）、Ｖ字型スロット内において移動する。この動きにより、シリンジ１４の後方端部３８が第１および第２の可動部材６２、６４によって係合されるように、開放位置から閉鎖位置への第１および第２の可動部材６２、６４の応答的旋回移動が引き起こされる。特に、アクチュエータ５６が下方方向に移動する際、第１および第２のピン６６、６８は、スロット７４内において、その第１および第２の終端８０、８２まで移動する。第１および第２の可動部材６２、６４は、下方に移動不可能であることから、これらは、その代わりに、第１および第２の旋回シャフト１０１、１０３が提供する旋回点の周りで旋回する。言い換えると、第１および第２の可動部材６２、６４は、それぞれの第１および第２のシャフト開口部１０７、１０９において、第１および第２の旋回シャフト１０１、１０３の周りで回転する。
【００８４】
壁部材５８が、第１の位置から第２の位置に移動し、かつ、シリンジ１４が、可動部材６２、６４により係合されない位置から、可動部材６２、６４により係合される位置に、壁部材５８とともに移動する際、シリンジプランジャ５２の後方端部３８における結合機構１２８は、駆動ラム１６のプランジャ結合機構１２６と係合されない位置から、駆動ラム１６のプランジャ結合機構１２６と係合される置まで移動する。図示する実施形態では（図４Ｂおよび図５Ｂ参照）、シリンジ１４のフランジ３４が、壁部材５８が規定するオリフィス６０と整合する場合、シリンジ１４内におけるシリンジプランジャ５２は、好ましくは、シリンジプランジャ５２の後方面上の結合機構１２８が駆動ラム１６のプランジャ結合機構１２６と整合するように位置付けられる。図示するシリンジプランジャ５２の結合機構１２８は、シリンジプランジャ５２の後方面から延出する突出部１２８である。この突出部１２８は、キャップ部分１３２（シリンジ１４の長手方向軸に対して横断）が被さる茎部分１３０（シリンジ１４の長手方向軸３６に対して平行）を有する「Ｔ」形状を呈するものとして特徴付けられ得る。壁部材５８が第１の位置から第２の位置に移動する際、結合機構１２８のキャップ部分１３２は、図示する実施形態では、駆動ラム１６の前方端部に形成されるスロット１３４である、プランジャ結合機構１２６によって受容され得る。
【００８５】
スロット１３４は、シリンジ１４の結合機構１２８、特に、そのキャップ部分１３２を受容する形状で、駆動ラム１６の前方端部に規定される。プランジャ結合要素１２６の断面は、「Ｊ」形状を呈するように示され（キャップ部分１３２を受容するように構成される「Ｊ」のフック部分内にスロットを有する）、それによって、シリンジプランジャ５２が駆動ラム１６と係合する場合、「Ｊ」形状の遠位端１３６は、結合機構１２８のキャップ部分１３２の一部に遠位に位置付けられる。したがって、シリンジ１４が初めにアクチュエータ５６に挿入される場合（第１の位置において）、結合機構１２８のキャップ部分１３２は、駆動ラム１６のプランジャ結合要素１２６の「上」にある。しかしながら、アクチュエータ５６が第２の位置に移動する際、結合機構１２８のキャップ部分１３２は、駆動ラム１６のプランジャ結合機構１２６の遠位端１３６に近位に位置付けられるように移動する。一旦係合すると、造影剤等の流体をシリンジ１４から吐出するように、駆動ラム１６をその長手方向軸５４に沿って前方に平行移動させること等によって、注入処置を実行してもよい。図示する実施形態のスロット１３４および延長部１２８は、本明細書においてそれぞれ「Ｊ」および「Ｔ」と称される形状を有するが、当業者は、結合を容易にする任意の形状を使用してもよいことを認識する。加えて、図示する実施形態は、最初に、受動的結合をもたらす結合機構１２８およびプランジャ結合機構１２６を示すが、当業者は、能動的結合をもたらす結合機構およびプランジャ結合機構（ある程度しっかりした把持特性を伴うもの）を使用してもよいことを認識する。
【００８６】
前述のように、シリンジ装着具１２によって、注入器１０の駆動ラム１６が任意の位置にある場合に、注入器１０の面板８６および／または前方端部４０からシリンジ１４を除去することが可能になる。シリンジ１４を注入器１０から取り外す前に、駆動ラム１６を「ホーム」位置に戻す必要はない。したがって、注入処置中に、駆動ラム１６の平行移動を停止し得る一方で、駆動ラム１６は、注入器１０の前面板８６から延出位置にある。次いで、ユーザは、シリンジ１４を把持し、それを上方方向に移動させることができ、これによって、第１および第２の突出部１１８、１２０のバネ付勢力を上回って、アクチュエータ５６を第２の位置から第１の位置に移動させる。これが発生する際、第１および第２の突出部１１８、１２０は、第２の谷１１４からリッジ１１６の上を通って第１の谷１１２の中まで、第１および第２の波状輪郭１０６、１０８に沿って重なる。同時に、第１および第２の可動部材６２、６４の第１および第２のピン６６、６８は、Ｖのアームの終端８０、８２付近の位置から、Ｖの先端付近の位置まで、壁部材５８のＶ字型スロット内において移動する。これにより、第１および第２の可動部材６２、６４は、第１および第２の旋回シャフト１０１、１０３の第１および第２のシャフト開口部１０７、１０９との相互作用によって生成される旋回点の周りで旋回することによって、閉鎖位置から解放位置に旋回する。アクチュエータ５６のオリフィス６０内におけるシリンジ１４の後方端部３８におけるフランジ３４の位置付けに起因して、アクチュエータ５６によって、シリンジ１４の後方面上のＴ字型結合機構に対して十分な垂直のシリンジ移動が、駆動ラム１６の前方端部上のスロットを除去することが可能になり、これによって、注入器１０からシリンジ１４を除去することが可能になる。
【００８７】
図１Ａおよび図１Ｂのパワーインジェクタ２１０、１０の各々は、限定ではないが、流体が主体（例えば、患者）に注入される医療撮像用途を含む、任意の適切な用途に使用されてもよい。パワーインジェクタ２１０、１０の代表的な医療撮像用途は、コンピュータ断層撮影法またはＣＴ映像法、磁気共鳴映像法またはＭＲＩ、ＳＰＥＣＴ映像法、ＰＥＴ映像法、Ｘ線映像法、血管造影法、光学映像法、および超音波映像法を含むがこれらに限定されない。パワーインジェクタ２１０、１０の各々は、単独で、または１つ以上の他の構成要素と組み合わせて使用され得る。パワーインジェクタ２１０、１０の各々は、例えば、情報がパワーインジェクタ２１０、１０と、１つ以上の他の構成要素との間で伝達され得るように（例えば、スキャン遅延情報、注入開始信号、注入率）、１つ以上の構成要素と動作可能に相互連結されてもよい。
【００８８】
限定ではないが、単一ヘッド構成（単一のシリンジ用）および二重ヘッド構成（２つのシリンジ用）を含む、任意の数のシリンジが、パワーインジェクタ２１０、１０の各々によって利用されてもよい。複数のシリンジ構成の場合、各パワーインジェクタ２１０、１０は、任意の好適な方式で、任意のタイミング順序に従って、種々のシリンジから流体を放出してもよい（例えば、２つ以上のシリンジからの連続放出、２つ以上のシリンジからの同時放出、またはそれらの任意の組み合わせ）。複数のシリンジが、（例えば、単一の注入部位に提供するために）共通の導管内に放出してもよく、または１つのシリンジが、（例えば、１つの注入部位に提供するために）１つの導管内に放出してもよい一方で、別のシリンジが、（例えば、異なる注入部位に提供するために）異なる導管内に放出してもよい。パワーインジェクタ２１０、１０の各々によって利用される、このような各シリンジは、任意の適切な流体、例えば、造影剤、放射性医薬品、食塩水、およびその任意の組み合わせを含んでもよい。パワーインジェクタ２１０、１０の各々によって利用される、このような各シリンジは、任意の適切な方式で設置されてもよい（例えば、後方装填構成を利用してもよく、前方装填構成を利用してもよく、側面装填構成を利用してもよい）。
【００８９】
撮像システムの一実施形態が、図６に図示され、参照数字３００によって識別される。撮像システム３００の２つの主要な構成要素、つまり撮像ユニット３２６およびパワーインジェクタ３０２について図式的に示す。撮像ユニット３２６は、任意の適切なサイズ、形状、構成、および／または種類であり得、少なくとも１つの撮像エネルギー源３２８を含む。一実施形態では、撮像ユニット３２６は、ＭＲまたはＭＲＩスキャナ（磁気共鳴）の形式であり、これは、典型的には高周波数コイル（例えば、スキャナのｘ、ｙ、ｚ方向における３つの直交勾配を提供する３つのコイル）の配置を、１つの撮像エネルギー源３２８（例えば、強力な磁場を生成するため）として、およびＲＦ伝送システムを別の撮像エネルギー源３２８（例えば、磁場を回転させるＲＦ信号を伝送するため）として利用し得る。撮像エネルギー源（単数または複数）３２８の出力は、医療画像（例えば、解剖学的／生物学的構造の画像）の取得を容易にするものである。
【００９０】
パワーインジェクタ３０２は、パワーヘッド３０４を含む。少なくとも１つのシリンジ３２０は、任意の適切な方式でパワーヘッド３０４上に設置されてもよく、設置される場合、パワーインジェクタ３０２の部分であると考えられ得る。少なくとも１つのＲＦＩＤタグ３２２は、任意の適切な方式で、任意の適切な位置においてシリンジ３２０と一体型である。複数のＲＦＩＤタグ３２２は、任意の適切な配列でシリンジ３２０上に配置され得る。任意の適切な情報は、各シリンジＲＦＩＤタグ３２２に格納されてもよく、任意の適切な数のＲＦＩＤタグ３２２を利用してもよい。他のデータストレージ機器の種類が、シリンジ３２０に適切であってもよい。
【００９１】
また、パワーインジェクタ３０２は、シリンジ通信モジュールまたは論理３１６も含む。概して、シリンジ通信論理３１６は、１つ以上のソースからのデータを監視、分析、または査定して、シリンジ通信（例えば、読み出し／書き込み動作）を開始すべきか否かを判定するものとして説明される。１つ以上のソースからのデータを分析することにより、ＲＦＩＤ読み出し／書き込み機器３１４とシリンジＲＦＩＤタグ３２２との間の通信を開始すべきか否かを判定する、任意の構成要素または構成要素の組み合わせは、パワーインジェクタ３０２および医療撮像システム３００の目的のためのシリンジ通信論理３１６の少なくとも部分であるように考えられる。
【００９２】
シリンジ通信論理３１６は、任意の適切なサイズ、形状、構成、および／または種類（例えば、パワードアンテナ）のＲＦＩＤ読み出し／書き込み機器３１４（より概して、通信機器）と動作可能に相互連結される。ＲＦＩＤ読み出し／書き込み機器３１４は、パワーインジェクタ３０２の部分である。概して、シリンジ通信論理３１６は、このＲＦＩＤ読み出し／書き込み機器３１４と、パワーヘッド３０４上に設置されるシリンジ３２０上の１つ以上のＲＦＩＤタグ３２２との間の、任意の適切な通信リンク３２４を介した通信のタイミングを制御するように構成され得る。データは、種々のソースからシリンジ通信論理３１６によって取得されてもよく、このデータは、ＲＦＩＤ読み出し／書き込み機器３１４に関連する通信判定（例えば、読み出しおよび／または書き込み動作を開始するか否か）を行うために使用される。例えば、シリンジ通信論理３１６は、傾斜センサ３０６、シリンジクランプセンサ３０８、事前充填シリンジセンサ３１０、および撮像エネルギー出力センサ３１２のうちの任意の１つ以上であって、その各々は、任意の適切なサイズ、形状、構成、および／または種類であり得るものと、任意の適切な方式で通信してもよい。これらの各構成要素と通信するシリンジ通信論理３１６に関連付けられる機能は、図７〜図１１Ｂのプロトコルに関連して以下により詳細に述べられる。
【００９３】
傾斜センサ３０６は、パワーインジェクタ３０２が少なくともある種類の、配向（例えば、パワーヘッド３０４および／またはパワーヘッド３０４上に設置されるシリンジ３２０の配向）における変化を受けているかを判定するためのデータを提供し得る。傾斜センサ３０６は、配向変化の大きさ、配向変化の方向、配向変化が発生していた時間、または任意のそれらの組み合わせに対する情報を提供し得る。一実施形態では、傾斜センサ３０６は、パワーヘッド３０４により組み込まれる加速度計の形式である。任意の適切な数の傾斜センサ３０６を利用して、上述の機能を提供してもよく、このような各傾斜センサ３０６は、パワーインジェクタ３０２の任意の適切な位置に配置されてもよい。図１Ｂに関連して上述したパワーインジェクタ１０の場合、傾斜センサ３０６は、パワーヘッド４２が少なくとも概して軸４３の周りで傾斜、回転、または移動しているかを判定し得る。
【００９４】
傾斜センサ３０８により取得されたデータは、シリンジ通信論理３１６によって、所定の条件の存在について分析され得る。傾斜検出論理３１６ａ等のシリンジ通信論理３１６の部分は、この分析専用であり得る。傾斜センサ３０６が加速度計の形式である場合、シリンジ通信論理３１６は、加速の大きさ、加速の方向もしくはベクトル、またはその両方を監視し得る。いずれにしても、シリンジ通信論理３１６が、パワーインジェクタ３０２の配向変化に対する全ての必要性が満たされたことを判定すると、シリンジ通信論理３１６は、ＲＦＩＤ読み出し／書き込み機器３１４と、少なくとも１つのシリンジＲＦＩＤタグ３２２との間の通信を開始し得る。
【００９５】
シリンジクランプは、シリンジクランプがその閉鎖構成にある場合に、例えば、シリンジ３２０のバレルの少なくとも実質的に全周囲の周りに延出するシリンジクランプによって、少なくとも１つの寸法においてシリンジ３２０を保持／拘束するように（例えば、１つの軸であって、その軸に沿ってシリンジクランプのシリンジプランジャが少なくとも１つの方向に移動可能である軸に対して直交である平面内に、シリンジ３２０の移動を限定または拘束するように）、パワーヘッド３０４によって組み込まれ得るが、これは、全てのシリンジクランプ構成に必要とされなくてもよい。パワーインジェクタ３０２は、任意の適切なサイズ、形状、構成、および／または種類のシリンジクランプを使用してもよい。代表的なシリンジクランプは、図１Ｂ〜図５Ｂのパワーインジェクタ１０に関連して上記に述べられ、図２Ａおよび一定の他の図面に示す部材６２および６４によって総称的に規定される。
【００９６】
図６のパワーインジェクタ３０２が利用するシリンジクランプセンサ３０８は、パワーインジェクタ３０２のシリンジクランプが１つ以上の既定／所定の状態、構成、または位置に／を通して移動したか（例えば、シリンジクランプが開放状態または開放構成に移動したか、シリンジクランプが閉鎖状態または閉鎖構成に移動したか、シリンジクランプがその開放状態／構成と閉鎖状態／構成との間のある中間の状態または構成に／を通して移動したか）を判定または検出する機能を提供し得る。シリンジクランプセンサ３０８は、任意の適切な方式でこの検出機能を提供してもよい。単一のシリンジクランプセンサ３０８または任意の適切な配列で配置される複数のシリンジクランプセンサ３０８を含む、任意の適切な数のシリンジクランプセンサ３０８を使用して、各シリンジクランプを監視してもよい。
【００９７】
シリンジクランプセンサ３０８の代表的な実施形態には、磁石／ホール効果センサの組み合わせ、光エレクトロニクス、電気機械スイッチ、誘導近接センサ、および電位差計が含まれるが、これらに限定されない。光学エミッタ／検出器の対（光エレクトロニクス）は、その対の間の光経路が一定の位置への／一定の位置を通るシリンジクランプの移動によって妨害される場合に、検出器が適切な信号を（直接的または間接的に）シリンジ通信論理３１６に送信し得るように配置され得る。電気機械スイッチは、シリンジクランプが一定の位置に／一定の位置を通して移動する場合に、シリンジクランプが電気機械スイッチに接触して移動するように、かつ／または電気機械スイッチに着地するように位置付けられ得る。このような電気機械スイッチが、対応するシリンジクランプのこのような移動に応答して作動する（例えば、押下される）場合、スイッチは、適切な信号を（直接的または間接的に）シリンジ通信論理３１６に送信し得る。誘導近接センサは、シリンジクランプが一定の位置に／一定に位置を通して移動する場合に、シリンジクランプが近接センサとの通信範囲に移動するように位置付けられ得る。誘導近接センサは、無線周波電磁界を設定する非接触機器である。金属性物体の存在によって、この電磁界は変化し、近接センサは、この変化を検出することができる。近接センサは、適切な信号を（直接的または間接的）にシリンジ通信論理３１６に送信し得る。任意のこのような近接センサは、デジタル（すなわち、オンまたはオフ）またはアナログであり得る。アナログセンサ値を読み出すことによって、ソフトウェアは、１つ以上の近接センサで多数のシリンジクランプ位置を解釈することが可能になる。
【００９８】
シリンジクランプセンサ３０８により取得されたデータは、シリンジ通信論理３１６によって、所定の条件の存在について分析され得る。シリンジクランプ検出論理３１６ｂ等のシリンジ通信論理３１６の部分は、この分析専用であり得る。この場合の分析は、単に、信号の存在または不在であり得る。いずれにしても、シリンジクランプが一定の構成または位置に／を通して移動したことをシリンジ通信論理３１６が判定すると、シリンジ通信論理３１６は、ＲＦＩＤ読み出し／書き込み機器３１４と、少なくとも１つのシリンジＲＦＩＤタグ３２２との間の通信を開始し得る。
【００９９】
事前充填シリンジセンサ３１０は、事前充填シリンジ３２０がパワーインジェクタ３０２のパワーヘッド３０４上に設置されたかを判定するためのデータを提供し得る。一実施形態では、事前充填シリンジセンサ３１０は、１つ以上の受信機アンテナを伴う、送信機アンテナの形式である。送信機アンテナは、既知の強度のＲＦ信号を送信し得る。受信機アンテナは、この信号を送信機アンテナから受信し得る。受信機アンテナは、送信機アンテナからの信号が、パワーヘッド３０４上への設置時に事前充填シリンジ３２０が占めるゾーン（例えば、シリンジゾーンまたは事前充填シリンジゾーン）を通過するように、送信機アンテナに対して位置付けられる。
【０１００】
事前充填シリンジセンサ３０８により取得されたデータは、シリンジ通信論理３１６によって、所定の条件の存在について分析され得る。事前充填シリンジ検出論理３１６ｃ等のシリンジ通信論理３１６の部分は、この分析専用であり得る。いずれにしても、この分析は、概して、元々送信された信号に比べて、信号（事前充填シリンジゾーンを通過した後に受信した時）の少なくともある減衰が存在したか否かについて判定を行うことを伴う。送信機は、事前充填シリンジ検出論理３１６ｃと動作可能に相互連結され得るが、送信機により送信されるべき信号の１つ以上の特性は、信号減衰を査定する目的で、メモリに格納され得るか、または事前充填シリンジ検出論理３１６ｃに対して利用可能にされ得る。
【０１０１】
シリンジ通信論理３１６は、事前充填シリンジ３２０がパワーヘッド３０４上に設置されていない場合の条件に関連付けられる比較電磁場強度値を有するように構成され得る。ゆえに、比較電磁場強度値に関連して、受信機アンテナにより測定される場の強度におけるある変化は、事前充填シリンジ３２０がパワーヘッド３０４上に設置されたことを示し得る。概して、事前充填シリンジ３２０中の液体は、送信機アンテナからの信号を著しく減衰させるはずであり、この減衰は、受信機アンテナによって検出されてもよく、パワ−ヘッド３０４上に設置される事前充填シリンジ３２０の条件に関連付けられてもよい。
【０１０２】
撮像エネルギー出力センサ３１２は、撮像ユニット３２６（より具体的には、その撮像エネルギー源３２８のうちの１つ以上）が医療画像を取得するように動作しているかを判定するためのデータを取得するために利用され得る。撮像エネルギー出力センサ３１２は、単に、撮像ユニット３２６から制御信号を得るだけではない。代わりに、撮像エネルギー出力センサ３１２は、少なくとも１つの撮像エネルギー源３２８が画像取得目的のために動作している時を識別するために環境を監視している。撮像エネルギー出力センサ３１２は、任意の適切なサイズ、形状、構成、および／または種類であり得る。一実施形態では、ＲＦＩＤ読み出し／書き込み機器３１４は、撮像エネルギー出力センサ３１２およびＲＦＩＤ読み出し／書き込み機器３１４が同一の共通構造であるように、撮像エネルギー出力センサ３１２の機能を実際に提供する。しかしながら、別個の撮像エネルギー出力センサ３１２およびＲＦＩＤ読み出し／書き込み機器３１４が、図６に示すように利用され得る。
【０１０３】
撮像エネルギー出力センサ３１２により取得されたデータは、シリンジ通信論理３１６によって、所定の条件の存在について分析され得る。撮像エネルギー出力検出論理３１６ｄ等のシリンジ通信論理３１６の部分は、分析専用であり得る。この分析が行われ得る代表的な方式について、図１１Ａ〜図１１Ｂの監視プロトコルに関連して以下により詳細に論じる。しかしながら、概して、分析は、単に、一定の閾値より上かを判定するために撮像エネルギー出力センサ３１２から受信した信号を分析すること、撮像エネルギー源３２８が非作動状態および作動状態間でサイクル動作しているパターンを識別するために、撮像エネルギー出力センサ３１２からの信号を分析すること、または同様なことを伴い得る。
【０１０４】
ＲＦＩＤ読み出し／書き込み機器３１４と、シリンジ３２０上の１つ以上のＲＦＩＤタグ３２２との間の通信は、図６のパワーインジェクタ３０２が使用するセンサ３０６、３０８、３１０、および３１２のうちの１つ以上からの出力によってトリガされ得る。パワーインジェクタ通信プロトコルの一実施形態は、図７に図示され、参照数字３３０によって識別される。条件または条件の組み合わせが、ＲＦＩＤ読み出し／書き込み機器３１４とパワーヘッド３０４上に設置されるシリンジ３２０上の少なくとも１つのＲＦＩＤタグ３２２との間の通信をトリガするプロトコル３３０のステップ３３２において特定され得る。これらは、図７に示すように、シリンジ通信トリガ条件または読み出し／書き込み条件と呼ばれ得る。いずれにしても、ＲＦＩＤ読み出し／書き込み機器３１４と、少なくとも１つのシリンジＲＦＩＤタグ３２２との間の通信をトリガすることは、傾斜センサ３０６、シリンジクランプセンサ３０８、事前充填シリンジセンサ３１０、またはエネルギー出力センサ３１２の、個々からまたは任意の組み合わせからの出力に基づき得る。
【０１０５】
図６のパワーインジェクタ３０２が、シリンジ通信論理３１６の目的のために、つまり、ＲＦＩＤ読み出し／書き込み機器３１４とシリンジＲＦＩＤタグ３２２との間の通信をトリガするために、センサ３０６、３０８、３１０、および３１２のうちの任意の１つ以上を含み得ることを理解されたい。さらに、ステップ３３２は、単一の読み出し／書き込み条件を特定すること（例えば、センサ３０６、３０８、３１０、３１２のうちの単一のセンサから）を伴い得るか、または複数の読み出し／書き込み条件を特定すること（例えば、センサ３０６、３０８、３１０、３１２のうちの２つ以上から）を伴い得る。ステップ３３２の特定は、操作者が所望の読み出し／書き込み条件（単数または複数）を入力することを可能にする、グラフィカルユーザインターフェースまたはその同等物を通して実行され得る。また、ステップ３３２の特定は、パワーインジェクタ３０２の「ハードワイヤード」構成であってもよく、つまり、読み出し／書き込み条件は、この種類の事例における最終用途施設へのパワーインジェクタ３０２の配送前に設定され得る。別の選択肢は、ステップ３３２の読み出し／書き込み条件（単数または複数）が、一定の者のみがステップ３３２にアクセスを有するパワーインジェクタ３０２のサービスモードまたはそれと同等なものを通して特定されるものであり得る。
【０１０６】
パワーインジェクタ３０２は、センサ３０６、３０８、３１０、および３１２のうちの任意の２つ以上を含み得る。シリンジ通信論理３１６は、１）パワーインジェクタ３０２が利用しているセンサ３０６、３０８、３１０、および３１２のうちの任意の１つからの適切な信号の受信時、２）パワーインジェクタ３０２が利用しているセンサ３０６、３０８、３１０、および３１２のうちの２つ以上からの適切な信号の受信時、または３）パワーインジェクタ３０２が利用しているセンサ３０６、３０８、３１０、および３１２の各々からの適切な信号の受信時に、ＲＦＩＤ読み出し／書き込み機器３１４と、少なくとも１つのシリンジＲＦＩＤタグ３２２との間の通信をトリガするように構成され得る。
【０１０７】
図７のパワーインジェクタ通信プロトコル３３０を再び参照すると、ステップ３３４は、ステップ３３２において特定される読み出し／書き込み条件の各々に関連付けられる監視プロトコルを実行することに向けられる。ステップ３３４が利用し得る代表的な監視プロトコルについて、図８〜図１１Ｂの論議において以下に述べる。ステップ３３４に関連付けられる監視プロトコル（単数または複数）からの応答は、パワーインジェクタ通信プロトコル３３０のステップ３３６に提供される。ステップ３３８は、ステップ３３４の監視プロトコル（単数または複数）からの応答の受信を監視し、ステップ３３２の各特定された読み出し／書き込み条件に関連して応答が受信されると、パワーインジェクタ通信プロトコル３３０のステップ３４０に制御が進む。パワーインジェクタ通信プロトコル３３０のステップ３４０は、ＲＦＩＤ読み出し／書き込み機器３１４と、少なくとも１つのシリンジＲＦＩＤタグ３２２との間の通信をトリガまたは開始する（例えば、読み出しおよび書き込み動作のうちの少なくとも１つ）。概して、ＲＦＩＤ読み出し／書き込み機器３１４とシリンジＲＦＩＤタグ３２２との間の通信が、撮像ユニット３２６の撮像エネルギー源３２８のうちの１つ以上が非作動状態またはモードにある時（例えば、医療画像の取得を容易にする撮像エネルギー源３２８からの出力が存在しない場合を含む、出力がある閾値未満である場合）に発生することが望ましい。医療画像を取得するための撮像エネルギー源３２８の動作は、ＲＦＩＤ読み出し／書き込み機器３１４とシリンジＲＦＩＤタグ３２２との間の通信に悪影響を及ぼし得るか、またはその逆であり得る。
【０１０８】
図８は、図６のパワーインジェクタ３０２からの傾斜センサ３０６の出力を利用し得る監視プロトコル３５０の一実施形態を図示する。パワーヘッド３０４に関する配向（例えば、パワーヘッド３０４自体の配向、パワーヘッド３０４上に設置されるシリンジ３２０の配向）は、図８の監視プロトコル３５０のステップ３５２の実行を通して監視される（例えば、傾斜センサ３０６からの出力を監視する）。ステップ３５４は、パワーヘッド３０４の配向が所定の方式で変化したかを判定することに向けられる。一実施形態では、この所定の変化は、ある方向における最小限の加速である。いずれにしても、ステップ３５２および３５４は、パワーヘッド３０４の配向における所定の変化が検出されるまで継続して実行され、検出された時点で、プトロコル３５０は、ステップ３５６に進む。パワーヘッド３０４の配向に関する所定の変化が、ステップ３５２および３５４の実行を通して識別されると、制御は、ステップ３５６に進む。プトロコル３５０のステップ３５６は、適切な通信を図７のパワーインジェクタ通信プロトコル３３０に（例えば、プロトコル３３０のステップ３３６に）送信する。この通信は、図７のパワーインジェクタ通信プロトコル３３０の目的のための読み出し／書き込み条件を満たすものとして特徴付けられ得る。
【０１０９】
任意の適切な「所定の配向変化」は、図８の監視プロトコル３５０のステップ３５４の目的のために利用され得る（例えば、監視プロトコル３５０がステップ３５４からステップ３５６に進むために）。ステップ３５４の目的のための代表的な「所定の配向変化」は、１）任意の方向または特定の方向のみにおける最小限の角度をわたって移動するパワーヘッド３０４、および２）任意の方向または特定の方向のみの、ある量の時間にわたってのパワーヘッド３０４の移動、を含むが、これらに限定されない。一実施形態では、プトロコル３５０をステップ３５４からステップ３５６に進める配向変化は、パワーヘッド３０４が「上方傾斜」構成にある場合のものであり、つまり、シリンジ３２０（より具体的には、その放出ノズル）は、少なくとも概して上方に（例えば、水平線を越えて）突出している。これは、シリンジ３２０またはその同等物から空気を一掃するために流体をシリンジ３２０内に装填する際のパワーヘッド３０４の一般的な位置である。パワーヘッド３０４がこの「傾斜上方」位置にある場合、撮像ユニット３２６の各撮像エネルギー源３２８は、非作動状態またはモードにあるはずであり、ゆえに、ＲＦＩＤ読み出し／書き込み機器３１４とシリンジＲＦＩＤタグ３２２との間の通信は、撮像ユニット３２６の任意の撮像エネルギー源３２８の動作によって悪影響を受けないはずである。
【０１１０】
図９は、図６のパワーインジェクタ３０２からのシリンジクランプセンサ３０８の出力を利用し得る監視プロトコル３０６の一実施形態を図示する。シリンジクランプの位置の状態または構成は、図９の監視プロトコル３６０のステップ３６２の実行を通して（例えば、シリンジクランプセンサ３０８からの出力を監視することを介して）監視される。ステップ３６４は、シリンジクランプが所定の状態、構成、または位置に、あるいはそれを通して移動したかを判定することに向けられる。ステップ３６２および３６４は、シリンジクランプが所定の状態、構成、または位置に、あるいはそれを通して移動しているとして識別されるまで継続して実行され、識別された時点で、プトロコル３６０は、ステップ３６６に進む。次いで、プトロコル３６０のステップ３６６は、適切な通信を図７のパワーインジェクタ通信プロトコル３３０に（例えば、プロトコル３３０のステップ３３６に）送信する。この通信は、図７のパワーインジェクタ通信プロトコル３３０の目的のための読み出し／書き込み条件を満たすものとして特徴付けられ得る。
【０１１１】
シリンジクランプのための任意の適切な所定の状態または構成は、例えば、シリンジクランプが閉鎖状態／構成に移動した場合、開放状態／構成に移動した場合、または中間状態／構成に移動した場合に、図９の監視プロトコル３６０のステップ３６４からステップ３６６に進むことをトリガするために使用され得る。シリンジクランプが閉鎖状態／構成に移動した場合（例えば、シリンジ３２０がこの時点でパワーヘッド３０４上に設置されるように）、ＲＦＩＤ読み出し／書き込み機器３１４とシリンジＲＦＩＤタグ３２２との間の通信をトリガすることが望ましくてもよい。これは、典型的には、医療撮像処置の準備または予備段階において、およびいずれにしても、撮像ユニット３２６の任意の撮像エネルギー源３２８の動作が医療画像を取得するために行われる十分前に発生する。すなわち、撮像ユニット３２６の各撮像エネルギー源３２８は、シリンジ３２０がパワーヘッド３０４上に設置された後しばらくの間、非作動状態またはモードにあるはずである。
【０１１２】
図１０は、図６のパワーインジェクタ３０２からの事前充填シリンジセンサ３１０の出力を利用し得る監視プロトコル３７０の一実施形態を図示する。既知の強度の信号（例えば、ＲＦ信号）は、監視プロトコル３７０のステップ３７２に全て従って、パワーヘッド３０４上への設置時に事前充填シリンジ３２０が占めるゾーン（例えば、シリンジゾーンまたは事前充填シリンジゾーン）を通って送信され得る。ステップ３７４は、この信号を、シリンジゾーンを通過した後に監視する。元々送信された信号（ステップ３７２）は、ステップ３７６において受信した信号（ステップ３７４）と比較され、少なくともある量の信号減衰が存在したかを判定する。信号減衰は、ステップ３７６の目的のために、任意の適切な方式で査定されてもよい。ステップ３７２、３７４、および３７６は、事前充填シリンジ３２０がパワーヘッド３０４上に設置されていない限り、継続して実行されるべきでる。この状況では、受信時の信号（ステップ３７４）に比べて、送信時の信号（ステップ３７２）の減衰がほとんど無いか全く存在しないはずである。しかしながら、事前充填シリンジ３２０がパワーヘッド３０４上に設置される場合、送信された信号（ステップ３７２）は、事前充填シリンジ３２０の含有物によって著しく減衰されるはずであり（例えば、ステップ３７４において受信する信号の強度は、ステップ３７２により送信された信号の強度よりも著しく小さくなるはずであり）、減衰された時点で、プトロコル３７０は、ステップ３７８に進む。すなわち、ステップ３７６は、信号の、その送信の時間（ステップ３７２）からの少なくともある量の減衰が存在した時を判定するものとして特徴付けられ得る。少なくとも一定の信号減衰量が存在する場合、事前充填シリンジ３２０がパワーヘッド３０４上に設置されたことが推定され、したがって、プロトコル３７０のステップ３７８は、適切な通信を図７のパワーインジェクタ通信プロトコル３３０に（例えば、プロトコル３３０のステップ３３６に）送信し得る。この通信は、図７のパワーインジェクタ通信プロトコル３３０の目的のための読み出し／書き込み条件を満たすものとして特徴付けられ得る。
【０１１３】
シリンジ３２０は、典型的には、医療撮像処置の準備または予備段階において、およびいずれにしても、医療画像を取得するための撮像ユニット３２６の任意の動作の十分前に、パワーインジェクタ３０２のパワーヘッド３０４上に設置される。ゆえに、事前充填シリンジ３２０がパワーヘッド３０４上に設置されたという判定を行った際または行った直後に、ＲＦＩＤ読み出し／書き込み機器３１４と、少なくとも１つのシリンジＲＦＩＤタグ３２２との間の通信をトリガすることによって、医療画像を取得するための任意の撮像エネルギー源３２８の動作からのいかなる妨害リスクをも伴わずに、この通信が行われることになるはずである。
【０１１４】
別の監視プロトコルは、図１１Ａに図示され、参照数字３８０によって識別され、図７のパワーインジェクタ通信プロトコル３３０によって利用され得る。少なくとも１つの撮像エネルギー源３２８の出力は、図１１Ａの監視プロトコル３８０のステップ３８２の実行を通して監視される。上述したように、別個の撮像エネルギー出力センサ３１２が、ステップ３８２の目的のためにパワーインジェクタ３０２によって利用され得るか、またはＲＦＩＤ読み出し／書き込み機器３１４が、この監視機能を提供し得る。いずれにしても、プトロコル３８０のステップ３８２は、医療画像を取得するような方式で撮像ユニット３２６が動作しているかを判定するようにパワーインジェクタ３０２が位置する環境を監視することに向けられるものとして特徴付けられ得る。少なくとも１つの撮像エネルギー源３２８が医療画像を取得するように動作しているという判定を行う場合、監視プロトコル３８０は、ＲＦＩＤ読み出し／書き込み機器３１４とシリンジＲＦＩＤタグ３２２との間の通信をこの時点でトリガしないように構成される（監視プロトコル３８０のステップ３８２および３８４は、この事例において繰り返される）。ステップ３８４は、単に、ＲＦＩＤ読み出し／書き込み機器３１４が受信した信号と、適切な基準または標準と比較することを伴い得る。プトロコル３８０は、撮像ユニット３２６の少なくとも１つの撮像エネルギー源３２８が医療画像を取得するように動作していないという判定が行われると、ステップ３８４からステップ３８６に進む。プトロコル３８０のステップ３８６は、適切な通信を図７のパワーインジェクタ通信プロトコル３３０に（例えば、プロトコル３３０のステップ３３６に）送信し得る。この通信は、図７のパワーインジェクタ通信プロトコル３３０の目的のための読み出し／書き込み条件を満たすものとして特徴付けられ得る。
【０１１５】
典型的には、撮像ユニット３２６の撮像エネルギー源３２８は、ＲＦＩＤ読み出し／書き込み機器３１４と、少なくとも１つのシリンジＲＦＩＤタグ３２２との間の通信を可能にする十分な量の時間を上回って、「オフ」状態、モード、または条件のままである。いくつかの構成をステップ３８４のために使用してもよい。少なくとも１つの撮像エネルギー源３２８が非作動状態／モードにあるという判定が行われると、プトロコル３８０は、即時にステップ３８６に進むように構成され得る。別の選択肢は、少なくとも１つの撮像エネルギー源３２８が特定の量の時間の間非作動状態／モードにあるという判定が行われるまで、ステップ３８４がステップ３８６に進まないように構成されるものである。
【０１１６】
図１１Ｂは、撮像ユニット３２６の少なくとも１つの撮像エネルギー源３２８の出力を監視することに基づく、図６のパワーインジェクタ３０２のためのＲＦＩＤ読み出し／書き込み機器３１４と、少なくとも１つのシリンジＲＦＩＤタグ３２２と間の通信をトリガするための別の選択肢を提示する。少なくとも１つの撮像エネルギー源３２８の出力は、図１１Ｂに図示する監視プロトコル３９０のステップ３９２の実行を通して監視される。前述したように、別個の撮像エネルギー出力センサ３１２が、ステップ３９２の目的のためにパワーインジェクタ３０２によって利用され得るか、またはＲＦＩＤ読み出し／書き込み機器３１４が、この監視機能を提供し得る。いずれにしても、プトロコル３９０のステップ３９２は、撮像ユニット３２６の少なくとも１つの撮像エネルギー源３２８の動作に関して、パワーインジェクタ３０２が位置する環境を監視することに向けられる。
【０１１７】
多くの医療撮像処置は、あるパターン（例えば、作動および非作動状態／モード）に従って「オン」状態またはモードと「オフ」状態またはモードとの間で撮像エネルギー源３２８をサイクル動作させる。監視プロトコル３９０のステップ３９４は、ステップ３９４の実行を通して、少なくとも１つの撮像エネルギー源３２８からの出力を監視することによってこのパターンを識別することを試みる。このパターンが監視プロトコル３９０によって認識されると、ステップ３９６は、少なくとも１つの撮像エネルギー源３２８について期待される非作動状態またはモードを識別するために使用され得る。少なくとも１つの撮像エネルギー源３２８がステップ３９４により識別されるパターンに従って非作動状態／モードにあるべき時に、プトロコル３９０は、ステップ３９６からステップ３９８に進む。ステップ３９８は、適切な通信を図７のパワーインジェクタ通信プロトコル３３０に（例えば、プロトコル３３０のステップ３３６に）送信する。この通信は、図７のパワーインジェクタ通信プロトコル３３０の目的のための読み出し／書き込み条件を満たすものとして特徴付けられ得る。
【０１１８】
シリンジ通信論理３１６、傾斜検出論理３１６ａ、シリンジクランプ検出論理３１６ｂ、事前充填シリンジ検出論理３１６ｃ、および撮像エネルギー出力検出論理３１６ｄの各々は、１つ以上のプラットフォームを使用して、１つ以上のプロセッサを使用して、任意の適切な種類のメモリを使用して、任意の適切な種類の任意の単一のコンピュータもしくは任意の適切な方式で相互連結される任意の適切な種類の複数のコンピュータを使用して、または任意のそれらの組み合わせを使用して、限定ではないが、任意の適切なソフトウェア、ファームウェア、またはハードウェアを含む、任意の適切な方式で実装されてもよい。シリンジ通信論理３１６、傾斜検出論理３１６ａ、シリンジクランプ検出論理３１６ｂ、事前充填シリンジ検出論理３１６ｃ、および撮像エネルギー出力検出論理３１６ｄは、任意の単一の位置または任意の適切な方式で（例えば、任意の種類のネットワークを介して）相互連結される複数の位置において実装されてもよい。
【０１１９】
本発明の先述の説明は、例証および説明のために提示されている。さらに、本説明は、本発明を本明細書で開示される形式に限定することを意図しない。したがって、変形および修正は、上記の教示に相応し、関連技術の技能および知識は、本発明の範囲内にある。本明細書において上術した実施形態はさらに、本発明を実施する既知の最良の形態を説明すること、および、このような実施形態または他の実施形態において、かつ本発明の特定の用途または使用により必要とされる種々の修正とともに、当業者が本発明を利用できるようにすることを意図する。添付の特許請求の範囲は、従来技術によって可能となる程度まで、代替実施形態を含むように解釈されることが意図される。
【図１Ａ】
2012500095.tif 000003
【図１Ｂ】
2012500095.tif 000004
【図２Ａ】
2012500095.tif 000005
【図２Ｂ】
2012500095.tif 000006
【図３Ａ】
2012500095.tif 000007
【図３Ｂ】
2012500095.tif 000008
【図４Ａ】
2012500095.tif 000009
【図４Ｂ】
2012500095.tif 000010
【図５Ａ】
2012500095.tif 000011
【図５Ｂ】
2012500095.tif 000012
【図６】
2012500095.tif 000013
【図７】
2012500095.tif 000014
【図８】
2012500095.tif 000015
【図９】
2012500095.tif 000016
【図１０】
2012500095.tif 000017
【図１１Ａ】
2012500095.tif 000018
【図１１Ｂ】
2012500095.tif 000019
【手続補正書】
【提出日】平成23年2月22日(2011.2.22)
【手続補正１】
【補正対象書類名】明細書
【補正対象項目名】００５６
【補正方法】変更
【補正の内容】
【００５６】
任意の適切な数のシリンジが、任意の適切な方式で（例えば、着脱式、前方装填式、後方装填式、側面装填式）、パワーインジェクタとともに利用されてもよく、任意の適切な医療用流体が、パワーインジェクタの所与のシリンジから放出されてもよく（例えば、造影剤、放射性医薬品、食塩水、およびそれらの任意の組み合わせ）、任意の適切な流体が、任意の適切な方式で（例えば、連続的に、同時に）多重シリンジパワーインジェクタ構成から放出されてもよく、またはそれらの任意の組み合わせである。一実施形態では、パワーインジェクタの動作によってシリンジから放出される流体は、導管（例えば、医療用配管）内に向けられ、その場合、この導管は、任意の適切な方式でシリンジと流体的に相互連結され、流体を所望の位置に（例えば、注入のために患者に挿入されるカテーテルに）向ける。複数のシリンジが、（例えば、単一の注入部位に提供するために）共通の導管内に放出してもよく、または１つのシリンジが、（例えば、１つの注入部位に提供するために）１つの導管内に放出してもよい一方で、別のシリンジが、（例えば、異なる注入部位に提供するために）異なる導管内に放出してもよい。一実施形態では、各シリンジは、シリンジバレルと、シリンジバレル内に配置され、かつシリンジバレルに対して可動であるプランジャとを含む。このプランジャは、シリンジプランジャ駆動体が、少なくとも１つの方向に、および恐らくは２つの異なる反対の方向に、シリンジプランジャを前進させることができるように、パワーインジェクタのシリンジプランジャ駆動体と界面接触してもよい。
（項目１）  
パワーインジェクタであって、
動力駆動源を備えているシリンジプランジャ駆動体と、
配向センサと、
シリンジ通信論理と
を備え、前記シリンジ通信論理は、前記配向センサと動作可能に相互連結され、前記シリンジ通信論理が前記配向センサの出力を利用して第１の条件の発生を識別することに応答して、シリンジ通信を開始するように構成されている、パワーインジェクタ。
（項目２）
前記配向センサは、加速度計を備えている、項目１に記載のパワーインジェクタ。
（項目３）
前記配向センサの前記出力は、前記パワーインジェクタの配向における変化を示す、項目１〜項目２のいずれか１項に記載のパワーインジェクタ。
（項目４）
前記配向センサの前記出力は、前記パワーインジェクタのパワーヘッドと、前記シリンジプランジャ駆動体に相互連結されるシリンジとのうちの少なくとも１つの配向における変化を示す、項目１〜項目３のいずれか１項に記載のパワーインジェクタ。
（項目５）
前記シリンジプランジャ駆動体と前記配向センサとを備えているパワーヘッドをさらに備えている、項目１〜項目４のいずれか１項に記載のパワーインジェクタ。
（項目６）
前記第１の条件は、前記パワーインジェクタが配向における所定の変化を受けた場合である、項目１〜項目５のいずれか１項に記載のパワーインジェクタ。
（項目７）
前記第１の条件は、前記パワーインジェクタのパワーヘッドと、前記パワーヘッド上に設置されているシリンジとのうちの少なくとも１つが上方傾斜位置に向かって移動している場合である、項目１〜項目６のいずれか１項に記載のパワーインジェクタ。
（項目８）
パワーインジェクタであって、
動力駆動源を備えているシリンジプランジャ駆動体と、
撮像エネルギー出力センサであって、前記パワーインジェクタが位置する環境から撮像設備の動作に関するデータを取得するように構成されている撮像エネルギー出力センサと、
シリンジ通信論理であって、前記シリンジ通信論理は、前記撮像エネルギー出力センサと動作可能に相互連結され、前記シリンジ通信論理が前記撮像エネルギー出力センサからの出力を利用して第１の条件の発生を識別することに応答して、シリンジ通信を開始するように構成されている、シリンジ通信論理と
を備えている、パワーインジェクタ。
（項目９）
撮像システムであって、
項目８に記載のパワーインジェクタと、
撮像エネルギー源を備えている撮像設備と
を備え、前記第１の条件は、前記撮像エネルギー源が非作動状態にある場合である、撮像システム。
（項目１０）
撮像システムであって、
項目８に記載のパワーインジェクタと、
撮像エネルギー源を備えている撮像設備と
を備え、前記第１の条件は、前記撮像エネルギー源が、所定の時間量の間、非作動状態にある場合である、撮像システム。
（項目１１）
撮像システムであって、
項目８に記載のパワーインジェクタと、
撮像エネルギー源を備えている撮像設備と
を備え、前記シリンジ通信論理は、前記撮像エネルギー源が作動状態と非作動状態との間でサイクル動作するパターンを識別するように構成され、前記第１の条件は、前記撮像エネルギー源が前記パターンに基づいて非作動状態にあるはずであることを前記シリンジ通信論理が判定する場合である、撮像システム。
（項目１２）
前記撮像エネルギー出力センサは、ＲＦＩＤ読み出し／書き込み機器を備えている、項目８〜項目１０のいずれか１項に記載のパワーインジェクタ。
（項目１３）
前記シリンジ通信論理と動作可能に相互連結されているＲＦＩＤ読み出し／書き込み機器をさらに備えている、項目１〜項目１１のいずれか１項に記載のパワーインジェクタ。
（項目１４）
前記ＲＦＩＤ読み出し／書き込み機器は、ＲＦＳＤアンテナを備えている、項目１３に記載のパワーインジェクタ。
（項目１５）
前記パワーインジェクタは、パワーヘッドを備え、前記パワーヘッドは、前記ＲＦＩＤ読み出し／書き込み機器を備えている、項目１３〜項目１４のいずれか１項に記載のパワーインジェクタ。
（項目１６）
シリンジデータタグを備えているシリンジをさらに備え、前記シリンジ通信は、前記シリンジデータタグとのものである、項目１〜項目１５のいずれか１項に記載のパワーインジェクタ。
（項目１７）
前記シリンジ通信論理と動作可能に相互連結されている事前充填シリンジセンサをさらに備え、前記シリンジ通信論理は、前記シリンジ通信論理が、前記事前充填シリンジセンサの出力を利用して、前記第１の条件の発生を識別すること、および第２の条件の発生を識別することの両方に応答してのみ、前記シリンジ通信を開始するようにさらに構成されている、項目１〜項目１６のいずれか１項に記載のパワーインジェクタ。
（項目１８）
前記第２の条件は、前記パワーインジェクタ上への設置時に事前充填シリンジによって占められる事前充填シリンジゾーンを通過した信号の少なくともある量の減衰が存在している場合である、項目１７に記載のパワーインジェクタ。
（項目１９）
前記事前充填シリンジセンサは、
送信機と、
前記シリンジ通信論理と動作可能に相互連結されている受信機と
を備えている、項目１７〜項目１８のいずれか１項に記載のパワーインジェクタ。
（項目２０）
前記受信機は、前記信号を、前記事前充填シリンジゾーンを通過した後に前記送信機から受信するように位置付けられている、項目１９に記載のパワーインジェクタ。
（項目２１）
複数の前記受信機をさらに備えている、項目１９〜項目２０のいずれか１項に記載のパワーインジェクタ。
（項目２２）
前記送信機および前記受信機のうちの少なくとも１つは、ＲＦＩＤアンテナを備えている、項目１９〜項目２１のいずれか１項に記載のパワーインジェクタ。
（項目２３）
前記送信機および前記受信機の各々は、ＲＦＩＤアンテナを備えている、項目１９〜項目２２のいずれか１項に記載のパワーインジェクタ。
（項目２４）
シリンジクランプをさらに備え、前記シリンジ通信論理は、第３の条件の発生を識別するようにさらに構成され、前記第３の条件は、前記シリンジクランプが所定の構成にある場合である、項目１〜項目２３のいずれか１項に記載のパワーインジェクタ。
（項目２５）
前記シリンジ通信論理と動作可能に相互連結されているシリンジクランプセンサであって、前記シリンジクランプセンサは、前記第３の条件の目的のための信号を提供し、磁石／ホール効果センサの組み合わせ、光センサ、電気機械スイッチ、近接センサ、および電位差計から成る群から選択される、シリンジクランプセンサをさらに備えている、項目２４に記載のパワーインジェクタ。
（項目２６）
開放構成および閉鎖構成の各々に配置可能であるシリンジクランプと、
前記シリンジ通信論理と動作可能に相互連結されているシリンジクランプセンサと
を備え、前記シリンジ通信論理は、前記シリンジ通信論理が、前記シリンジクランプセンサの出力を利用して、前記第１の条件の発生を識別すること、および第３の条件の発生を識別することの両方に応答してのみ、前記シリンジ通信を開始するように構成されている、項目１〜項目１６のいずれか１項に記載のパワーインジェクタ。
（項目２７）
パワーインジェクタであって、
動力駆動源を備えているシリンジプランジャ駆動体と、
送信機と、
受信機と、
事前充填シリンジ検出論理であって、第１の条件の発生について前記送信機により発行され、かつ前記受信機により受信される、信号を査定するように構成されている事前充填シリンジ検出論理と
を備え、前記第１の条件は、前記送信機と前記受信機との間に前記信号の少なくともある量の減衰が存在している場合であり、事前充填シリンジが前記パワーインジェクタ上に設置されていることと同等である、パワーインジェクタ。
（項目２８）
前記送信機は、ＲＦアンテナを備えている、項目２７に記載のパワーインジェクタ。
（項目２９）
前記受信機は、前記信号を、前記パワーインジェクタ上への設置時に事前充填シリンジによって占められる事前充填シリンジゾーンを通過した後に、前記受信機から受信するように位置付けられている、項目２７〜項目２８のいずれか１項に記載のパワーインジェクタ。
（項目３０）
前記受信機は、ＲＦアンテナを備えている、項目２７〜項目２９のいずれか１項に記載のパワーインジェクタ。
（項目３１）
複数の前記受信機をさらに備えている、項目２７〜項目３０のいずれか１項に記載のパワーインジェクタ。
（項目３２）
シリンジ通信論理であって、前記事前充填シリンジ検出論理が前記第１の条件の発生を識別することに応答して、シリンジ通信を開始するように構成されているシリンジ通信論理をさらに備えている、項目２７〜項目３１のいずれか１項に記載のパワーインジェクタ。
（項目３３）
前記シリンジ通信論理は、前記事前充填シリンジ検出論理を備えている、項目３２に記載のパワーインジェクタ。
（項目３４）
開放構成および閉鎖構成の各々に配置可能であるシリンジクランプと、
シリンジクランプセンサと、
前記シリンジクランプセンサと動作可能に相互連結されているシリンジクランプ検出論理であって、第２の条件の存在を識別するように構成されているシリンジクランプ検出論理と
をさらに備え、前記第２の条件は、前記シリンジクランプが所定の構成にある場合である、項目２７〜項目３１のいずれか１項に記載のパワーインジェクタ。
（項目３５）
シリンジ通信論理をさらに備え、前記シリンジ通信論理は、前記事前充填シリンジ検出論理が前記第１の条件の発生を識別することと、前記シリンジクランプ検出論理が前記第２の条件の発生を識別することの両方に応答してのみ、シリンジ通信を開始するように構成されている、項目３４に記載のパワーインジェクタ。
（項目３６）
シリンジ通信論理をさらに備え、前記シリンジ通信論理は、前記事前充填シリンジ検出論理が前記第１の条件の発生を識別する時、または前記シリンジクランプ検出論理が前記第２の条件の発生を識別する時のいずれかに、シリンジ通信を開始するように構成されている、項目３４に記載のパワーインジェクタ。
（項目３７）
前記シリンジ通信論理は、前記事前充填シリンジ検出論理および前記シリンジクランプ検出論理を備えている、項目３５〜項目３６のいずれか１項に記載のパワーインジェクタ。
（項目３８）
前記パワーインジェクタ上に設置されているシリンジであって、シリンジデータタグを備えているシリンジをさらに備えている、項目２７〜項目３７のいずれか１項に記載のパワーインジェクタ。
（項目３９）
前記パワーインジェクタ上に設置されているシリンジであって、シリンジデータタグを備えているシリンジをさらに備え、前記シリンジ通信は、前記シリンジデータタグとのものである、項目３２、項目３３、および項目３５〜項目３７のいずれか１項に記載のパワーインジェクタ。
（項目４０）
パワーインジェクタの動作の方法であって、
第１の条件の発生を監視するステップであって、前記第１の条件は、前記パワーインジェクタが配向における所定の変化を受ける場合である、ステップと、
前記監視するステップが前記第１の条件の発生を識別する、ステップに応答して、前記パワーインジェクタと前記パワーインジェクタ上に設置されているシリンジとの間のシリンジ通信を開始するステップと
を包含する、方法。
（項目４１）
前記監視するステップは、加速度計を使用するステップを包含する、項目４０に記載の方法。
（項目４２）
前記監視するステップは、配向センサを使用するステップを包含する、項目４０に記載の方法。
（項目４３）
前記監視するステップは、前記パワーインジェクタの加速度を監視するステップを包含する、項目４０〜項目４２のいずれか１項に記載の方法。
（項目４４）
前記シリンジの放出ノズルが少なくとも概して上方に突出する第１の配向に前記パワーインジェクタを移動させるステップであって、前記パワーインジェクタを第１の配向に移動させる前記ステップは、前記第１の条件の発生を提供する、ステップと、
前記第１の配向において、前記パワーインジェクタで第１の動作および第２の動作のうちの少なくとも１つを実行するステップであって、前記第１の動作は、前記シリンジから空気を一掃するステップを包含し、前記第２の動作は、流体を前記シリンジ内に装填するステップを包含する、ステップと
をさらに包含する、項目４０〜項目４３のいずれか１項に記載の方法。
（項目４５）
前記実行するステップの後に前記パワーインジェクタを第２の配向に移動させるステップであって、この時点で前記シリンジの前記放出ノズルは、少なくとも概して下方に突出する、ステップと、
前記第２の配向において、前記パワーインジェクタで流体を前記シリンジから放出するステップと
をさらに包含する、項目４４に記載の方法。
（項目４６）
前記パワーヘッドを第２の配向に移動させる前記ステップは、前記第１の条件の発生を提供し、各前記開始するステップは、前記放出するステップの前に実行される、項目４５に記載の方法。
（項目４７）
医療システムの動作の方法であって、前記医療システムは、撮像設備と、パワーインジェクタと、前記パワーインジェクタ上に設置されているシリンジとを備え、前記方法は、
第１の条件について前記撮像設備のエネルギー出力を監視するステップであって、前記エネルギー出力は、医療画像を取得するために使用される、ステップと、
前記監視するステップが前記第１の条件の発生を識別することに応答して、前記シリンジのシリンジデータタグとのシリンジ通信を開始するステップと、
前記シリンジから流体を放出するために前記パワーインジェクタを動作させるステップと
を包含する、方法。
（項目４８）
前記エネルギー出力は、ＲＦ信号を備える、項目４７に記載の方法。
（項目４９）
前記監視するステップのための前記エネルギー出力は、前記パワーインジェクタが位置する環境から得られる、項目４７〜項目４８のいずれか１項に記載の方法。
（項目５０）
前記パワーインジェクタは、前記監視するステップを実行する、項目４７〜項目４９のいずれか１項に記載の方法。
（項目５１）
前記第１の条件は、前記撮像設備からの前記エネルギー出力が少なくとも実質的にゼロである場合である、項目４７〜項目５０のいずれか１項に記載の方法。
（項目５２）
前記第１の条件は、前記撮像設備が画像取得モード以外のモードにある場合である、項目４７〜項目５１のいずれか１項に記載の方法。
（項目５３）
前記撮像設備は、撮像エネルギー源を備え、前記第１の条件は、前記撮像エネルギー源が非作動状態にある場合である、項目４７〜項目５２のいずれか１項に記載の方法。
（項目５４）
前記撮像設備は、撮像エネルギー源を備え、前記第１の条件は、前記撮像エネルギー源が、少なくとも第１の所定の時間量の間、非作動状態にある場合である、項目４７〜項目５３のいずれか１項に記載の方法。
（項目５５）
前記監視するステップは、前記撮像設備の撮像エネルギー源が作動状態と非作動状態との間でサイクル動作するパターンを識別するステップを包含する、項目４７〜項目５０のいずれか１項に記載の方法。
（項目５６）
前記開始するステップは、前記パターンが前記監視するステップによって識別された後と、前記撮像エネルギー源が前記パターンに従って非作動状態にあるべき時とにのみ実行される、項目５５に記載の方法。
（項目５７）
患者を前記エネルギー出力に晒すステップと、
前記晒すステップから前記患者の画像を取得するステップと
をさらに包含する、項目４７〜項目５６のいずれか１項に記載の方法。
（項目５８）
前記監視するステップは、ＲＦアンテナを使用するステップであって、前記シリンジ通信にも使用されるステップを包含する、項目４７〜項目５７のいずれか１項に記載の方法。
（項目５９）
前記監視するステップおよび前記開始するステップは、共通のＲＦアンテナを使用する、項目４７〜項目５７のいずれか１項に記載の方法。
（項目６０）
前記監視するステップは、前記シリンジデータタグと通信するためにも使用されるアンテナを使用する、項目４７〜項目５９のいずれか１項に記載の方法。
（項目６１）
信号を第１の位置から送信するステップと、
前記信号を第２の位置で受信するステップと、
第２の条件の発生について前記受信するステップを監視するステップと
をさらに包含し、前記第２の条件は、事前充填シリンジが前記パワーインジェクタ上に設置されていることと同等である、項目４０〜項目６０のいずれか１項に記載の方法。
（項目６２）
前記第２の条件は、前記送信するステップと前記受信するステップとの間での前記信号の最小限の減衰の存在である、項目６１に記載の方法。
（項目６３）
前記送信するステップからの前記信号は、ＲＦ信号を備える、項目６１〜項目６２のいずれか１項に記載の方法。
（項目６４）
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、項目６１〜項目６３のいずれか１項に記載の方法。
（項目６５）
前記信号は、前記送信するステップの後、かつ、前記受信するステップの前に、前記事前充填シリンジゾーンを通って進行する、項目６４に記載の方法。
（項目６６）
前記第２の条件は、前記送信するステップの後、かつ、前記受信するステップの時点で、前記信号の少なくともある量の減衰を含む、項目６１〜項目６５のいずれか１項に記載の方法。
（項目６７）
前記開始するステップは、前記第１の条件および前記第２の条件の各々の識別の後で、それら条件の各々の識別に応答してのみ実行される、項目６１〜項目６６のいずれか１項に記載の方法。
（項目６８）
前記パワーインジェクタは、シリンジクランプをさらに備え、前記方法は、
第３の条件の発生について前記シリンジクランプを監視するステップをさらに包含し、前記第３の条件は、前記シリンジクランプが所定の構成にある場合である、項目４０〜項目６０のいずれか１項に記載の方法。
（項目６９）
前記開始するステップは、前記第１の条件および前記第３の条件の各々の識別に応答してのみ実行されるのみである、項目６８に記載の方法。
（項目７０）
パワーインジェクタの動作の方法であって、
信号を第１の位置から送信するステップと、
前記信号を第２の位置で受信するステップと、
第１の条件の発生について前記受信するステップを監視するステップと
を包含し、前記第１の条件は、前記送信するステップと前記受信するステップとの間での前記信号の少なくともある減衰の存在である、方法。
（項目７１）
前記送信するステップからの前記信号は、ＲＦ信号を備える、項目７０に記載の方法。
（項目７２）
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、項目７０〜項目７１のいずれか１項に記載の方法。
（項目７３）
前記信号は、前記送信するステップの後、かつ、前記受信するステップの前に、前記シリンジゾーンを通って進行する、項目７２に記載の方法。
（項目７４）
前記監視するステップによる前記第１の条件の発生の識別に応答して、前記パワーインジェクタ上に設置されているシリンジのシリンジデータタグとのシリンジ通信を開始するステップをさらに包含する、項目７０〜項目７３のいずれか１項に記載の方法。
（項目７５）
第２の条件についてシリンジクランプを監視するステップであって、前記第２の条件は、前記シリンジクランプが所定の構成である場合である、ステップと、
前記パワーインジェクタ上に設置されているシリンジのシリンジデータタグとのシリンジ通信を開始するステップと、
をさらに包含する、項目７０〜項目７４のいずれか１項に記載の方法。
（項目７６）
前記開始するステップは、前記第１の条件および前記第２の条件の各々の識別の後で、それら条件の各々の識別に応答してのみ実行される、項目７５に記載の方法。
（項目７７）
前記開始するステップは、前記第１の条件および前記第２の条件のうちの少なくとも１つの識別に応答して実行される、項目７５に記載の方法。
【手続補正２】
【補正対象書類名】特許請求の範囲
【補正対象項目名】全文
【補正方法】変更
【補正の内容】
【特許請求の範囲】
【請求項１】
パワーインジェクタであって、
動力駆動源を備えているシリンジプランジャ駆動体と、
配向センサと、
通信機器と、
シリンジ通信論理と
を備え、前記シリンジ通信論理は、前記配向センサと動作可能に相互連結され、前記シリンジ通信論理が前記配向センサの出力を利用して第１の条件の発生を識別することに応答して、シリンジ通信を開始するように構成されており、該通信機器は、該シリンジ通信論理と動作可能に相互連結されており、該第１の条件は該パワーインジェクタが配向における変化を受ける場合であり、該シリンジ通信は、該通信機器とシリンジデータタグとの間の通信である、パワーインジェクタ。
【請求項２】
前記配向センサは、加速度計を備えている、請求項１に記載のパワーインジェクタ。
【請求項３】
前記配向センサの前記出力は、前記パワーインジェクタのパワーヘッドの配向における変化を示す、請求項１〜請求項２のいずれか１項に記載のパワーインジェクタ。
【請求項４】
前記配向センサの前記出力は、前記パワーインジェクタのパワーヘッドと、前記シリンジプランジャ駆動体に相互連結されるシリンジとのうちの少なくとも１つの配向における変化を示し、該シリンジは、前記シリンジデータタグを含む、請求項１〜請求項３のいずれか１項に記載のパワーインジェクタ。
【請求項５】
前記シリンジプランジャ駆動体と前記配向センサとを備えているパワーヘッドをさらに備えている、請求項１〜請求項４のいずれか１項に記載のパワーインジェクタ。
【請求項６】
前記第１の条件は、前記パワーインジェクタが配向における所定の変化を受けた場合である、請求項１〜請求項５のいずれか１項に記載のパワーインジェクタ。
【請求項７】
前記第１の条件は、前記パワーインジェクタのパワーヘッドと、前記パワーヘッド上に設置されているシリンジとのうちの少なくとも１つが上方傾斜位置に向かって移動している場合である、請求項１〜請求項６のいずれか１項に記載のパワーインジェクタ。
【請求項８】
パワーインジェクタであって、
動力駆動源を備えているシリンジプランジャ駆動体と、
撮像エネルギー出力センサであって、前記パワーインジェクタが位置する環境から撮像設備の動作に関するデータを取得するように構成されている撮像エネルギー出力センサと、
通信機器と、
シリンジ通信論理であって、前記シリンジ通信論理は、前記撮像エネルギー出力センサと動作可能に相互連結され、前記シリンジ通信論理が前記撮像エネルギー出力センサからの出力を利用して第１の条件の発生を識別することに応答して、シリンジ通信を開始するように構成されており、該通信機器は、該シリンジ通信論理と動作可能に相互連結されており、該第１の条件は、画像取得以外のモードを含み、該シリンジ通信は、該通信機器とシリンジデータタグとの間の通信である、シリンジ通信論理と
を備えている、パワーインジェクタ。
【請求項９】
撮像システムであって、
請求項８に記載のパワーインジェクタと、
撮像エネルギー源を備えている撮像設備と
を備え、前記第１の条件は、前記撮像エネルギー源が非作動状態にある場合である、撮像システム。
【請求項１０】
撮像システムであって、
請求項８に記載のパワーインジェクタと、
撮像エネルギー源を備えている撮像設備と
を備え、前記第１の条件は、前記撮像エネルギー源が、所定の時間量の間、非作動状態にある場合である、撮像システム。
【請求項１１】
撮像システムであって、
請求項８に記載のパワーインジェクタと、
撮像エネルギー源を備えている撮像設備と
を備え、前記シリンジ通信論理は、前記撮像エネルギー源が作動状態と非作動状態との間でサイクル動作するパターンを識別するように構成され、前記第１の条件は、前記撮像エネルギー源が前記パターンに基づいて非作動状態にあるはずであることを前記シリンジ通信論理が判定する場合である、撮像システム。
【請求項１２】
前記撮像エネルギー出力センサは、ＲＦＩＤ読み出し／書き込み機器を備えている、請求項８〜請求項１０のいずれか１項に記載のパワーインジェクタ。
【請求項１３】
前記通信機器は、ＲＦＩＤ読み出し／書き込み機器を備えている、請求項１〜請求項１１のいずれか１項に記載のパワーインジェクタ。
【請求項１４】
前記ＲＦＩＤ読み出し／書き込み機器は、ＲＦＳＤアンテナを備えている、請求項１３に記載のパワーインジェクタ。
【請求項１５】
前記パワーインジェクタは、パワーヘッドを備え、前記パワーヘッドは、前記ＲＦＩＤ読み出し／書き込み機器を備えている、請求項１３〜請求項１４のいずれか１項に記載のパワーインジェクタ。
【請求項１６】
シリンジデータタグを備えているシリンジをさらに備え、前記シリンジ通信は、前記通信機器と前記シリンジデータタグとの間の通信である、請求項１〜請求項１５のいずれか１項に記載のパワーインジェクタ。
【請求項１７】
前記シリンジ通信論理と動作可能に相互連結されている事前充填シリンジセンサをさらに備え、前記シリンジ通信論理は、前記シリンジ通信論理が、前記事前充填シリンジセンサの出力を利用して、前記第１の条件の発生を識別すること、および第２の条件の発生を識別することの両方に応答してのみ、前記シリンジ通信を開始するようにさらに構成されている、請求項１〜請求項１６のいずれか１項に記載のパワーインジェクタ。
【請求項１８】
前記第２の条件は、前記パワーインジェクタ上への設置時に事前充填シリンジによって占められる事前充填シリンジゾーンを通過した信号の少なくともある量の減衰が存在している場合である、請求項１７に記載のパワーインジェクタ。
【請求項１９】
前記事前充填シリンジセンサは、
送信機と、
前記シリンジ通信論理と動作可能に相互連結されている受信機と
を備えている、請求項１７〜請求項１８のいずれか１項に記載のパワーインジェクタ。
【請求項２０】
前記受信機は、前記信号を、前記事前充填シリンジゾーンを通過した後に前記送信機から受信するように位置付けられている、請求項１９に記載のパワーインジェクタ。
【請求項２１】
複数の前記受信機をさらに備えている、請求項１９〜請求項２０のいずれか１項に記載のパワーインジェクタ。
【請求項２２】
前記送信機および前記受信機のうちの少なくとも１つは、ＲＦＩＤアンテナを備えている、請求項１９〜請求項２１のいずれか１項に記載のパワーインジェクタ。
【請求項２３】
前記送信機および前記受信機の各々は、ＲＦＩＤアンテナを備えている、請求項１９〜請求項２２のいずれか１項に記載のパワーインジェクタ。
【請求項２４】
シリンジクランプをさらに備え、前記シリンジ通信論理は、第３の条件の発生を識別するようにさらに構成され、前記第３の条件は、前記シリンジクランプが所定の構成にある場合である、請求項１〜請求項２３のいずれか１項に記載のパワーインジェクタ。
【請求項２５】
前記シリンジ通信論理と動作可能に相互連結されているシリンジクランプセンサであって、前記シリンジクランプセンサは、前記第３の条件の目的のための信号を提供し、磁石／ホール効果センサの組み合わせ、光センサ、電気機械スイッチ、近接センサ、および電位差計から成る群から選択される、シリンジクランプセンサをさらに備えている、請求項２４に記載のパワーインジェクタ。
【請求項２６】
開放構成および閉鎖構成の各々に配置可能であるシリンジクランプと、
前記シリンジ通信論理と動作可能に相互連結されているシリンジクランプセンサと
を備え、前記シリンジ通信論理は、前記シリンジ通信論理が、前記シリンジクランプセンサの出力を利用して、前記第１の条件の発生を識別すること、および第３の条件の発生を識別することの両方に応答してのみ、前記シリンジ通信を開始するように構成されている、請求項１〜請求項１６のいずれか１項に記載のパワーインジェクタ。
【請求項２７】
パワーインジェクタであって、
動力駆動源を備えているシリンジプランジャ駆動体と、
送信機と、
受信機と、
事前充填シリンジ検出論理であって、第１の条件の発生について前記送信機により発行され、かつ前記受信機により受信される、信号を査定するように構成されている事前充填シリンジ検出論理と
を備え、該受信機は、該パワーインジェクタ上に設置された場合に、事前充填シリンジによって占められる事前充填シリンジゾーンを通過した後に、該送信機から該信号を受信するために配置されており、該第１の条件は、該事前充填シリンジゾーン内に配置された事前充填シリンジ内の液体の圧力のために、前記送信機と前記受信機との間に前記信号の少なくともある量の減衰が存在している場合であり、事前充填シリンジが該事前充填シリンジゾーン内で前記パワーインジェクタ上に設置されていることと同等である、パワーインジェクタ。
【請求項２８】
前記事前充填シリンジ検出論理は、前記事前充填シリンジが前記事前充填シリンジゾーン内に設置されていない場合の条件に関連付けられた比較電磁場強度値を含む、請求項２７に記載のパワーインジェクタ。
【請求項２９】
前記送信機は、ＲＦアンテナを備えている、請求項２７〜請求項２８のいずれか１項に記載のパワーインジェクタ。
【請求項３０】
前記受信機は、ＲＦアンテナを備えている、請求項２７〜請求項２９のいずれか１項に記載のパワーインジェクタ。
【請求項３１】
複数の前記受信機をさらに備えている、請求項２７〜請求項３０のいずれか１項に記載のパワーインジェクタ。
【請求項３２】
シリンジ通信論理であって、前記事前充填シリンジ検出論理が前記第１の条件の発生を識別することに応答して、シリンジ通信を開始するように構成されているシリンジ通信論理をさらに備えている、請求項２７〜請求項３１のいずれか１項に記載のパワーインジェクタ。
【請求項３３】
前記シリンジ通信論理は、前記事前充填シリンジ検出論理を備えている、請求項３２に記載のパワーインジェクタ。
【請求項３４】
開放構成および閉鎖構成の各々に配置可能であるシリンジクランプと、
シリンジクランプセンサと、
前記シリンジクランプセンサと動作可能に相互連結されているシリンジクランプ検出論理であって、第２の条件の存在を識別するように構成されているシリンジクランプ検出論理と
をさらに備え、前記第２の条件は、前記シリンジクランプが所定の構成にある場合である、請求項２７〜請求項３１のいずれか１項に記載のパワーインジェクタ。
【請求項３５】
シリンジ通信論理をさらに備え、前記シリンジ通信論理は、前記事前充填シリンジ検出論理が前記第１の条件の発生を識別することと、前記シリンジクランプ検出論理が前記第２の条件の発生を識別することの両方に応答してのみ、シリンジ通信を開始するように構成されている、請求項３４に記載のパワーインジェクタ。
【請求項３６】
シリンジ通信論理をさらに備え、前記シリンジ通信論理は、前記事前充填シリンジ検出論理が前記第１の条件の発生を識別する時、または前記シリンジクランプ検出論理が前記第２の条件の発生を識別する時のいずれかに、シリンジ通信を開始するように構成されている、請求項３４に記載のパワーインジェクタ。
【請求項３７】
前記シリンジ通信論理は、前記事前充填シリンジ検出論理および前記シリンジクランプ検出論理を備えている、請求項３５〜請求項３６のいずれか１項に記載のパワーインジェクタ。
【請求項３８】
前記パワーインジェクタ上に設置されているシリンジであって、シリンジデータタグを備えているシリンジをさらに備えている、請求項２７〜請求項３７のいずれか１項に記載のパワーインジェクタ。
【請求項３９】
前記パワーインジェクタ上に設置されているシリンジであって、シリンジデータタグを備えているシリンジをさらに備え、前記シリンジ通信は、前記シリンジデータタグとのものである、請求項３２、請求項３３、および請求項３５〜請求項３７のいずれか１項に記載のパワーインジェクタ。
【請求項４０】
パワーインジェクタの動作の方法であって、
第１の条件の発生を監視するステップであって、前記第１の条件は、前記パワーインジェクタが配向における所定の変化を受ける場合である、ステップと、
前記監視するステップが前記第１の条件の発生を識別する、ステップに応答して、前記パワーインジェクタと前記パワーインジェクタ上に設置されているシリンジとの間のシリンジ通信を開始するステップと
を包含する、方法。
【請求項４１】
前記監視するステップは、加速度計を使用するステップを包含する、請求項４０に記載の方法。
【請求項４２】
前記監視するステップは、配向センサを使用するステップを包含する、請求項４０に記載の方法。
【請求項４３】
前記監視するステップは、前記パワーインジェクタの加速度を監視するステップを包含する、請求項４０〜請求項４２のいずれか１項に記載の方法。
【請求項４４】
前記シリンジの放出ノズルが少なくとも概して上方に突出する第１の配向に前記パワーインジェクタを移動させるステップであって、前記パワーインジェクタを第１の配向に移動させる前記ステップは、前記第１の条件の発生を提供する、ステップと、
前記第１の配向において、前記パワーインジェクタで第１の動作および第２の動作のうちの少なくとも１つを実行するステップであって、前記第１の動作は、前記シリンジから空気を一掃するステップを包含し、前記第２の動作は、流体を前記シリンジ内に装填するステップを包含する、ステップと
をさらに包含する、請求項４０〜請求項４３のいずれか１項に記載の方法。
【請求項４５】
前記実行するステップの後に前記パワーインジェクタを第２の配向に移動させるステップであって、この時点で前記シリンジの前記放出ノズルは、少なくとも概して下方に突出する、ステップと、
前記第２の配向において、前記パワーインジェクタで流体を前記シリンジから放出するステップと
をさらに包含する、請求項４４に記載の方法。
【請求項４６】
前記パワーヘッドを第２の配向に移動させる前記ステップは、前記第１の条件の発生を提供し、各前記開始するステップは、前記放出するステップの前に実行される、請求項４５に記載の方法。
【請求項４７】
医療システムの動作の方法であって、前記医療システムは、撮像設備と、パワーインジェクタと、前記パワーインジェクタ上に設置されているシリンジとを備え、前記方法は、
第１の条件について前記撮像設備のエネルギー出力を監視するステップであって、前記エネルギー出力は、医療画像を取得するために使用される、ステップと、
前記監視するステップが前記第１の条件の発生を識別することに応答して、前記シリンジのシリンジデータタグとのシリンジ通信を開始するステップと、
前記シリンジから流体を放出するために前記パワーインジェクタを動作させるステップと
を包含する、方法。
【請求項４８】
前記エネルギー出力は、ＲＦ信号を備える、請求項４７に記載の方法。
【請求項４９】
前記監視するステップのための前記エネルギー出力は、前記パワーインジェクタが位置する環境から得られる、請求項４７〜請求項４８のいずれか１項に記載の方法。
【請求項５０】
前記パワーインジェクタは、前記監視するステップを実行する、請求項４７〜請求項４９のいずれか１項に記載の方法。
【請求項５１】
前記第１の条件は、前記撮像設備からの前記エネルギー出力が少なくとも実質的にゼロである場合である、請求項４７〜請求項５０のいずれか１項に記載の方法。
【請求項５２】
前記第１の条件は、前記撮像設備が画像取得モード以外のモードにある場合である、請求項４７〜請求項５１のいずれか１項に記載の方法。
【請求項５３】
前記撮像設備は、撮像エネルギー源を備え、前記第１の条件は、前記撮像エネルギー源が非作動状態にある場合である、請求項４７〜請求項５２のいずれか１項に記載の方法。
【請求項５４】
前記撮像設備は、撮像エネルギー源を備え、前記第１の条件は、前記撮像エネルギー源が、少なくとも第１の所定の時間量の間、非作動状態にある場合である、請求項４７〜請求項５３のいずれか１項に記載の方法。
【請求項５５】
前記監視するステップは、前記撮像設備の撮像エネルギー源が作動状態と非作動状態との間でサイクル動作するパターンを識別するステップを包含する、請求項４７〜請求項５０のいずれか１項に記載の方法。
【請求項５６】
前記開始するステップは、前記パターンが前記監視するステップによって識別された後と、前記撮像エネルギー源が前記パターンに従って非作動状態にあるべき時とにのみ実行される、請求項５５に記載の方法。
【請求項５７】
前記監視するステップは、ＲＦアンテナを使用するステップであって、前記シリンジ通信にも使用されるステップを包含する、請求項４７〜請求項５６のいずれか１項に記載の方法。
【請求項５８】
前記監視するステップおよび前記開始するステップは、共通のＲＦアンテナを使用する、請求項４７〜請求項５６のいずれか１項に記載の方法。
【請求項５９】
前記監視するステップは、前記シリンジデータタグと通信するためにも使用されるアンテナを使用する、請求項４７〜請求項５８のいずれか１項に記載の方法。
【請求項６０】
信号を第１の位置から送信するステップと、
前記信号を第２の位置で受信するステップと、
第２の条件の発生について前記受信するステップを監視するステップと
をさらに包含し、前記第２の条件は、事前充填シリンジが前記パワーインジェクタ上に設置されていることと同等である、請求項４０〜請求項５９のいずれか１項に記載の方法。
【請求項６１】
前記第２の条件は、前記送信するステップと前記受信するステップとの間での前記信号の最小限の減衰の存在である、請求項６０に記載の方法。
【請求項６２】
前記送信するステップからの前記信号は、ＲＦ信号を備える、請求項６０〜請求項６１のいずれか１項に記載の方法。
【請求項６３】
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、請求項６０〜請求項６２のいずれか１項に記載の方法。
【請求項６４】
前記信号は、前記送信するステップの後、かつ、前記受信するステップの前に、前記事前充填シリンジゾーンを通って進行する、請求項６３に記載の方法。
【請求項６５】
前記第２の条件は、前記送信するステップの後、かつ、前記受信するステップの時点で、前記信号の少なくともある量の減衰を含む、請求項６０〜請求項６４のいずれか１項に記載の方法。
【請求項６６】
前記開始するステップは、前記第１の条件および前記第２の条件の各々の識別の後で、それら条件の各々の識別に応答してのみ実行される、請求項６０〜請求項６５のいずれか１項に記載の方法。
【請求項６７】
前記パワーインジェクタは、シリンジクランプをさらに備え、前記方法は、
第３の条件の発生について前記シリンジクランプを監視するステップをさらに包含し、前記第３の条件は、前記シリンジクランプが所定の構成にある場合である、請求項４０〜請求項５９のいずれか１項に記載の方法。
【請求項６８】
前記開始するステップは、前記第１の条件および前記第３の条件の各々の識別に応答してのみ実行されるのみである、請求項６７に記載の方法。
【請求項６９】
パワーインジェクタの動作の方法であって、
信号を第１の位置から送信するステップと、
前記信号を第２の位置で受信するステップと、
第１の条件の発生について前記受信するステップを監視するステップと
を包含し、前記第１の条件は、前記送信するステップと前記受信するステップとの間での前記信号の少なくともある減衰の存在である、方法。
【請求項７０】
前記送信するステップからの前記信号は、ＲＦ信号を備える、請求項６９に記載の方法。
【請求項７１】
事前充填シリンジゾーンを通して前記信号を送信するステップをさらに包含し、前記事前充填シリンジゾーンは、前記パワーインジェクタ上への設置時に前記事前充填シリンジによって占められ、前記受信するステップは、前記送信するステップの後に実行される、請求項６９〜請求項７０のいずれか１項に記載の方法。
【請求項７２】
前記信号は、前記送信するステップの後、かつ、前記受信するステップの前に、前記シリンジゾーンを通って進行する、請求項７１に記載の方法。
【請求項７３】
前記監視するステップによる前記第１の条件の発生の識別に応答して、前記パワーインジェクタ上に設置されているシリンジのシリンジデータタグとのシリンジ通信を開始するステップをさらに包含する、請求項６９〜請求項７２のいずれか１項に記載の方法。
【請求項７４】
第２の条件についてシリンジクランプを監視するステップであって、前記第２の条件は、前記シリンジクランプが所定の構成である場合である、ステップと、
前記パワーインジェクタ上に設置されているシリンジのシリンジデータタグとのシリンジ通信を開始するステップと、
をさらに包含する、請求項６９〜請求項７３のいずれか１項に記載の方法。
【請求項７５】
前記開始するステップは、前記第１の条件および前記第２の条件の各々の識別の後で、それら条件の各々の識別に応答してのみ実行される、請求項７４に記載の方法。
【請求項７６】
前記開始するステップは、前記第１の条件および前記第２の条件のうちの少なくとも１つの識別に応答して実行される、請求項７４に記載の方法。
【国際調査報告】
2012500095.tif 000020
2012500095.tif 000021
2012500095.tif 000022
2012500095.tif 000023
2012500095.tif 000024
2012500095.tif 000025
2012500095.tif 000026
2012500095.tif 000027